(57)【要約】【課題】大口径標準レンズとして使用可能な、高い結像性能を備えたインナーフォーカス式レンズを提供する。【解決手段】このインナーフォーカス式レンズは、物体側から順に、メニスカスレンズＬ11、正レンズＬ12、負レンズＬ13、開口絞りＳＴ、負レンズＬ14、正レンズＬ15、負メニスカスレンズＬ16、正レンズＬ17、およびメニスカスレンズＬ18が配置されて構成される。メニスカスレンズＬ11は、物体側に凹面を向けて配置されている。負メニスカスレンズＬ16は、像側に凹面を向けて配置されている。メニスカスレンズＬ18は、物体側に凹面を向けて配置されている。そして、負メニスカスレンズＬ16と正レンズＬ17との間隔を狭めることによりフォーカシングを行うことで、収差変動が抑制され、大口径標準レンズとして使用可能な優れた結像性能を備えることができる。【選択図】図１
2013083783.tif 000002
【特許請求の範囲】
【請求項１】
開口絞りと、
前記開口絞りより物体側に配置された、物体側に凹面を向けた第１のメニスカスレンズと、
前記開口絞りより像側に配置された、像側に凹面を向けた第１の負レンズと、前記第１の負レンズより像側に配置された、像側に凸面を向けた第１の正レンズと、
を備えたことを特徴とするインナーフォーカス式レンズ。
【請求項２】
前記第１の負レンズは負メニスカスレンズであり、
前記第１の正レンズより像側に、物体側に凹面を向けた第２のメニスカスレンズが配置されていることを特徴とする請求項１に記載のインナーフォーカス式レンズ。
【請求項３】
前記第１のメニスカスレンズと前記開口絞りとの間に、物体側から順に、第２の正レンズと、第２の負レンズとが配置され、
前記開口絞りと前記第１の負レンズとの間に、第３の正レンズが配置されていることを特徴とする請求項１または２に記載のインナーフォーカス式レンズ。
【請求項４】
前記第１のメニスカスレンズの物体側に、第４の正レンズが配置されていることを特徴とする請求項３に記載のインナーフォーカス式レンズ。
【請求項５】
前記第１のメニスカスレンズの物体側には、物体側から順に、第２の正レンズと、第２の負レンズとが配置され、
前記開口絞りと前記第１の負レンズとの間に、第３の正レンズが配置されていることを特徴とする請求項１または２に記載のインナーフォーカス式レンズ。
【請求項６】
前記第１の負レンズと前記第１の正レンズとの間隔を狭めることにより、無限遠物体合焦状態から最至近距離物体合焦状態に至るまでのフォーカシングを行うことを特徴とする請求項１〜５のいずれか一つに記載のインナーフォーカス式レンズ。
【請求項７】
前記第３の正レンズを像側から物体側に移動させることにより、無限遠物体合焦状態から最至近距離物体合焦状態に至るまでのフォーカシングを行うことを特徴とする請求項３〜５のいずれか一つに記載のインナーフォーカス式レンズ。
【請求項８】
前記第１の正レンズの焦点距離をｆＢ、光学系全系の焦点距離をｆとするとき、以下に示す条件式を満足することを特徴とする請求項１〜７のいずれか一つに記載のインナーフォーカス式レンズ。
（１）  ０＜ｆＢ／ｆ＜３．０
【請求項９】
前記第１のメニスカスレンズの物体側面の曲率半径をＲｍ、光学系全系の焦点距離をｆとするとき、以下に示す条件式を満足することを特徴とする請求項１〜８のいずれか一つに記載のインナーフォーカス式レンズ。
（２）  −５．０＜Ｒｍ／ｆ＜０
【発明の詳細な説明】
【技術分野】
【０００１】
この発明は、デジタルスチルカメラなどの固体撮像素子を搭載した撮像装置に好適なインナーフォーカス式レンズに関する。
【背景技術】
【０００２】
従来の一眼レフカメラでは、撮影画像とファインダー画像とを一致させるために、撮影レンズを通った光をフィルムの手前に置いたミラーで反射させ、その光を光学式ファインダーに導く機構が必要であった。これに対し、デジタルカメラでは、撮像素子で捉えた画像を電子式ファインダーに表示するだけで従来の一眼レフカメラと同等のことを実現できる。このため、光学式ファインダーやこれに撮影像を導くためのミラーを省くことで装置の小型化を実現する、いわゆる「ミラーレス一眼カメラ」が登場してきた。ミラーレス一眼カメラでは、撮影レンズのバックフォーカスを短くすることができるため、搭載される撮影レンズの小型、軽量化が可能になった。
【０００３】
さらなるカメラの小型、軽量化には、撮影レンズのフォーカス群の移動を制御する機構の小型、軽量化が望まれる。このためには、ミラーレス一眼カメラに搭載される撮影レンズのフォーカス群の軽量化が促進されることが好ましい。フォーカス群の軽量化が可能になれば、動画撮影時のフォーカス群移動の際の静音化による作動音の低減にも寄与できる。
【０００４】
ところで、一般に、ミラーレス一眼カメラには、明るい標準レンズとして「ガウスタイプ」のものが使われている（たとえば、特許文献１を参照。）。「ガウスタイプ」のレンズは、明るい画像を得るのに適しているが、レンズ全体を繰り出してフォーカシングを行うため、フォーカス群の軽量化は困難である。また、「ガウスタイプ」のレンズは、絞りを挟んで強い凹面が対向しているため、「サジタルコマ収差」が大きく発生し、開放撮影時の結像性能が劣化するという問題がある。
【０００５】
このような「ガウスタイプ」のレンズが有する問題を解決するものとして、レンズ後部のレンズ群のみを動かしてフォーカシングを行うインナーフォーカス式レンズがある（たとえば、特許文献２を参照）。このレンズによれば、一部のレンズ群でフォーカシングを行うことにより、フォーカス群の軽量化が可能になる。加えて、フォーカス群の軽量化により、動画撮影時のフォーカス群移動の際の静音化による作動音の低減も促進できる。
【先行技術文献】
【特許文献】
【０００６】
【特許文献１】特開平６−２４２３７０号公報
【特許文献２】特許第２９１５９８５号公報
【発明の概要】
【発明が解決しようとする課題】
【０００７】
しかしながら、特許文献２に記載のインナーフォーカス式レンズは「中望遠レンズ」であるため、画角を広げると「トリプレット」の形状であるフォーカシングをつかさどる後群の画角に寄与する収差の補正能力が足りず、諸収差が大きく発生し画像が崩れるという問題がある。したがって、画角の狭い「中望遠」には対応できるが、標準レンズとして要求される画角には対応できない。
【０００８】
この発明は、上述した従来技術による問題点を解消するため、大口径標準レンズとして使用可能な、高い結像性能を備えたインナーフォーカス式レンズを提供することを目的とする。
【課題を解決するための手段】
【０００９】
上述した課題を解決し、目的を達成するため、請求項１に記載の発明にかかるインナーフォーカス式レンズは、開口絞りと、前記開口絞りより物体側に配置された、物体側に凹面を向けた第１のメニスカスレンズと、前記開口絞りより像側に配置された、像側に凹面を向けた第１の負レンズと、前記第１の負レンズより像側に配置された、像側に凸面を向けた第１の正レンズと、を備えたことを特徴とする。
【００１０】
請求項１に記載の発明によれば、レンズの大口径化に伴い顕著となるサジタルコマ収差を良好に補正し、また標準レンズとして要求される画角にも十分対応可能な収差補正能力を有する、高い結像性能を備えたインナーフォーカス方式レンズを実現することができる。
【００１１】
請求項２に記載の発明にかかるインナーフォーカス式レンズは、請求項１に記載の発明において、前記第１の負レンズは負メニスカスレンズであり、前記第１の正レンズより像側に、物体側に凹面を向けた第２のメニスカスレンズが配置されていることを特徴とする。
【００１２】
請求項２に記載の発明によれば、フォーカシングによる収差変動や軸外の収差の発生を抑制することができる。
【００１３】
請求項３に記載の発明にかかるインナーフォーカス式レンズは、請求項１または２に記載の発明において、前記第１のメニスカスレンズと前記開口絞りとの間に、物体側から順に、第２の正レンズと、第２の負レンズとが配置され、前記開口絞りと前記第１の負レンズとの間に、第３の正レンズが配置されていることを特徴とする。
【００１４】
請求項３に記載の発明によれば、軸上色収差、倍率色収差、球面収差、非点収差、および像面湾曲などの諸収差を良好に補正して、高い結像性能を備えたインナーフォーカス式レンズを実現することができる。
【００１５】
請求項４に記載の発明にかかるインナーフォーカス式レンズは、請求項３に記載の発明において、前記第１のメニスカスレンズの物体側に、第４の正レンズが配置されていることを特徴とする。
【００１６】
請求項４に記載の発明によれば、高次の球面収差をより良好に補正することができる。
【００１７】
請求項５に記載の発明にかかるインナーフォーカス式レンズは、請求項１または２に記載の発明において、前記第１のメニスカスレンズの物体側には、物体側から順に、第２の正レンズと、第２の負レンズとが配置され、前記開口絞りと前記第１の負レンズとの間に、第３の正レンズが配置されていることを特徴とする。
【００１８】
請求項５に記載の発明によれば、軸上色収差、倍率色収差、球面収差、非点収差、および像面湾曲などの諸収差を良好に補正して、高い結像性能を備えたインナーフォーカス式レンズを実現することができる。
【００１９】
請求項６に記載の発明にかかるインナーフォーカス式レンズは、請求項１〜５のいずれか一つに記載の発明において、前記第１の負レンズと前記第１の正レンズとの間隔を狭めることにより、無限遠物体合焦状態から最至近距離物体合焦状態に至るまでのフォーカシングを行うことを特徴とする。
【００２０】
請求項６に記載の発明によれば、フォーカシングに際し、コマ収差、球面収差、非点収差をはじめとする軸外収差の変動を抑制することができる。
【００２１】
請求項７に記載の発明にかかるインナーフォーカス式レンズは、請求項３〜５のいずれか一つに記載の発明において、前記第３の正レンズを像側から物体側に移動させることにより、無限遠物体合焦状態から最至近距離物体合焦状態に至るまでのフォーカシングを行うことを特徴とする。
【００２２】
請求項７に記載の発明によれば、フォーカシングに際し、コマ収差、球面収差、非点収差をはじめとする軸外収差の変動を抑制することができる。
【００２３】
請求項８に記載の発明にかかるインナーフォーカス式レンズは、請求項１〜７のいずれか一つに記載の発明において、前記第１の正レンズの焦点距離をｆＢ、光学系全系の焦点距離をｆとするとき、以下に示す条件式を満足することを特徴とする。
（１）  ０＜ｆＢ／ｆ＜３．０
【００２４】
請求項８に記載の発明によれば、フォーカシングによる諸収差の変動を抑制し、高い結像性能を備えたインナーフォーカス式レンズを実現することができる。
【００２５】
請求項９に記載の発明にかかるインナーフォーカス式レンズは、請求項１〜８のいずれか一つに記載の発明において、前記第１のメニスカスレンズの物体側面の曲率半径をＲｍ、光学系全系の焦点距離をｆとするとき、以下に示す条件式を満足することを特徴とする。
（２）  −５．０＜Ｒｍ／ｆ＜０
【００２６】
請求項９に記載の発明によれば、諸収差を良好に補正し、高い結像性能を備えたインナーフォーカス式レンズを実現することができる。
【発明の効果】
【００２７】
この発明によれば、大口径標準レンズとして使用可能な、高い結像性能を備えたインナーフォーカス式レンズを提供することができるという効果を奏する。
【図面の簡単な説明】
【００２８】
【図１】実施例１にかかるインナーフォーカス式レンズの構成を示す光軸に沿う断面図である。
【図２】実施例１にかかるインナーフォーカス式レンズの無限遠物体合焦状態における球面収差図である。
【図３】実施例１にかかるインナーフォーカス式レンズの無限遠物体合焦状態における像面湾曲図および歪曲収差図である。
【図４】実施例１にかかるインナーフォーカス式レンズの無限遠物体合焦状態における倍率色収差図である。
【図５】実施例１にかかるインナーフォーカス式レンズの無限遠物体合焦状態における横収差図である。
【図６】実施例１にかかるインナーフォーカス式レンズの最至近距離物体合焦状態における球面収差図である。
【図７】実施例１にかかるインナーフォーカス式レンズの最至近距離物体合焦状態における像面湾曲図および歪曲収差図である。
【図８】実施例１にかかるインナーフォーカス式レンズの最至近距離物体合焦状態における倍率色収差図である。
【図９】実施例１にかかるインナーフォーカス式レンズの最至近距離物体合焦状態における横収差図である。
【図１０】実施例２にかかるインナーフォーカス式レンズの構成を示す光軸に沿う断面図である。
【図１１】実施例２にかかるインナーフォーカス式レンズの無限遠物体合焦状態における球面収差図である。
【図１２】実施例２にかかるインナーフォーカス式レンズの無限遠物体合焦状態における像面湾曲図および歪曲収差図である。
【図１３】実施例２にかかるインナーフォーカス式レンズの無限遠物体合焦状態における倍率色収差図である。
【図１４】実施例２にかかるインナーフォーカス式レンズの無限遠物体合焦状態における横収差図である。
【図１５】実施例２にかかるインナーフォーカス式レンズの最至近距離物体合焦状態における球面収差図である。
【図１６】実施例２にかかるインナーフォーカス式レンズの最至近距離物体合焦状態における像面湾曲図および歪曲収差図である。
【図１７】実施例２にかかるインナーフォーカス式レンズの最至近距離物体合焦状態における倍率色収差図である。
【図１８】実施例２にかかるインナーフォーカス式レンズの最至近距離物体合焦状態における横収差図である。
【図１９】実施例３にかかるインナーフォーカス式レンズの構成を示す光軸に沿う断面図である。
【図２０】実施例３にかかるインナーフォーカス式レンズの無限遠物体合焦状態における球面収差図である。
【図２１】実施例３にかかるインナーフォーカス式レンズの無限遠物体合焦状態における像面湾曲図および歪曲収差図である。
【図２２】実施例３にかかるインナーフォーカス式レンズの無限遠物体合焦状態における倍率色収差図である。
【図２３】実施例３にかかるインナーフォーカス式レンズの無限遠物体合焦状態における横収差図である。
【図２４】実施例３にかかるインナーフォーカス式レンズの最至近距離物体合焦状態における球面収差図である。
【図２５】実施例３にかかるインナーフォーカス式レンズの最至近距離物体合焦状態における像面湾曲図および歪曲収差図である。
【図２６】実施例３にかかるインナーフォーカス式レンズの最至近距離物体合焦状態における倍率色収差図である。
【図２７】実施例３にかかるインナーフォーカス式レンズの最至近距離物体合焦状態における横収差図である。
【図２８】実施例４にかかるインナーフォーカス式レンズの構成を示す光軸に沿う断面図である。
【図２９】実施例４にかかるインナーフォーカス式レンズの無限遠物体合焦状態における球面収差図である。
【図３０】実施例４にかかるインナーフォーカス式レンズの無限遠物体合焦状態における像面湾曲図および歪曲収差図である。
【図３１】実施例４にかかるインナーフォーカス式レンズの無限遠物体合焦状態における倍率色収差図である。
【図３２】実施例４にかかるインナーフォーカス式レンズの無限遠物体合焦状態における横収差図である。
【図３３】実施例４にかかるインナーフォーカス式レンズの最至近距離物体合焦状態における球面収差図である。
【図３４】実施例４にかかるインナーフォーカス式レンズの最至近距離物体合焦状態における像面湾曲図および歪曲収差図である。
【図３５】実施例４にかかるインナーフォーカス式レンズの最至近距離物体合焦状態における倍率色収差図である。
【図３６】実施例４にかかるインナーフォーカス式レンズの最至近距離物体合焦状態における横収差図である。
【図３７】実施例５にかかるインナーフォーカス式レンズの構成を示す光軸に沿う断面図である。
【図３８】実施例５にかかるインナーフォーカス式レンズの無限遠物体合焦状態における球面収差図である。
【図３９】実施例５にかかるインナーフォーカス式レンズの無限遠物体合焦状態における像面湾曲図および歪曲収差図である。
【図４０】実施例５にかかるインナーフォーカス式レンズの無限遠物体合焦状態における倍率色収差図である。
【図４１】実施例５にかかるインナーフォーカス式レンズの無限遠物体合焦状態における横収差図である。
【図４２】実施例５にかかるインナーフォーカス式レンズの最至近距離物体合焦状態における球面収差図である。
【図４３】実施例５にかかるインナーフォーカス式レンズの最至近距離物体合焦状態における像面湾曲図および歪曲収差図である。
【図４４】実施例５にかかるインナーフォーカス式レンズの最至近距離物体合焦状態における倍率色収差図である。
【図４５】実施例５にかかるインナーフォーカス式レンズの最至近距離物体合焦状態における横収差図である。
【図４６】実施例６にかかるインナーフォーカス式レンズの構成を示す光軸に沿う断面図である。
【図４７】実施例６にかかるインナーフォーカス式レンズの無限遠物体合焦状態における球面収差図である。
【図４８】実施例６にかかるインナーフォーカス式レンズの無限遠物体合焦状態における像面湾曲図および歪曲収差図である。
【図４９】実施例６にかかるインナーフォーカス式レンズの無限遠物体合焦状態における倍率色収差図である。
【図５０】実施例６にかかるインナーフォーカス式レンズの無限遠物体合焦状態における横収差図である。
【図５１】実施例６にかかるインナーフォーカス式レンズの最至近距離物体合焦状態における球面収差図である。
【図５２】実施例６にかかるインナーフォーカス式レンズの最至近距離物体合焦状態における像面湾曲図および歪曲収差図である。
【図５３】実施例６にかかるインナーフォーカス式レンズの最至近距離物体合焦状態における倍率色収差図である。
【図５４】実施例６にかかるインナーフォーカス式レンズの最至近距離物体合焦状態における横収差図である。
【図５５】実施例７にかかるインナーフォーカス式レンズの構成を示す光軸に沿う断面図である。
【図５６】実施例７にかかるインナーフォーカス式レンズの無限遠物体合焦状態における球面収差図である。
【図５７】実施例７にかかるインナーフォーカス式レンズの無限遠物体合焦状態における像面湾曲図および歪曲収差図である。
【図５８】実施例７にかかるインナーフォーカス式レンズの無限遠物体合焦状態における倍率色収差図である。
【図５９】実施例７にかかるインナーフォーカス式レンズの無限遠物体合焦状態における横収差図である。
【図６０】実施例７にかかるインナーフォーカス式レンズの最至近距離物体合焦状態における球面収差図である。
【図６１】実施例７にかかるインナーフォーカス式レンズの最至近距離物体合焦状態における像面湾曲図および歪曲収差図である。
【図６２】実施例７にかかるインナーフォーカス式レンズの最至近距離物体合焦状態における倍率色収差図である。
【図６３】実施例７にかかるインナーフォーカス式レンズの最至近距離物体合焦状態における横収差図である。
【図６４】実施例８にかかるインナーフォーカス式レンズの構成を示す光軸に沿う断面図である。
【図６５】実施例８にかかるインナーフォーカス式レンズの無限遠物体合焦状態における球面収差図である。
【図６６】実施例８にかかるインナーフォーカス式レンズの無限遠物体合焦状態における像面湾曲図および歪曲収差図である。
【図６７】実施例８にかかるインナーフォーカス式レンズの無限遠物体合焦状態における倍率色収差図である。
【図６８】実施例８にかかるインナーフォーカス式レンズの無限遠物体合焦状態における横収差図である。
【図６９】実施例８にかかるインナーフォーカス式レンズの最至近距離物体合焦状態における球面収差図である。
【図７０】実施例８にかかるインナーフォーカス式レンズの最至近距離物体合焦状態における像面湾曲図および歪曲収差図である。
【図７１】実施例８にかかるインナーフォーカス式レンズの最至近距離物体合焦状態における倍率色収差図である。
【図７２】実施例８にかかるインナーフォーカス式レンズの最至近距離物体合焦状態における横収差図である。
【図７３】実施例９にかかるインナーフォーカス式レンズの構成を示す光軸に沿う断面図である。
【図７４】実施例９にかかるインナーフォーカス式レンズの無限遠物体合焦状態における球面収差図である。
【図７５】実施例９にかかるインナーフォーカス式レンズの無限遠物体合焦状態における像面湾曲図および歪曲収差図である。
【図７６】実施例９にかかるインナーフォーカス式レンズの無限遠物体合焦状態における倍率色収差図である。
【図７７】実施例９にかかるインナーフォーカス式レンズの無限遠物体合焦状態における横収差図である。
【図７８】実施例９にかかるインナーフォーカス式レンズの最至近距離物体合焦状態における球面収差図である。
【図７９】実施例９にかかるインナーフォーカス式レンズの最至近距離物体合焦状態における像面湾曲図および歪曲収差図である。
【図８０】実施例９にかかるインナーフォーカス式レンズの最至近距離物体合焦状態における倍率色収差図である。
【図８１】実施例９にかかるインナーフォーカス式レンズの最至近距離物体合焦状態における横収差図である。
【図８２】実施例１０にかかるインナーフォーカス式レンズの構成を示す光軸に沿う断面図である。
【図８３】実施例１０にかかるインナーフォーカス式レンズの無限遠物体合焦状態における球面収差図である。
【図８４】実施例１０にかかるインナーフォーカス式レンズの無限遠物体合焦状態における像面湾曲図および歪曲収差図である。
【図８５】実施例１０にかかるインナーフォーカス式レンズの無限遠物体合焦状態における倍率色収差図である。
【図８６】実施例１０にかかるインナーフォーカス式レンズの無限遠物体合焦状態における横収差図である。
【図８７】実施例１０にかかるインナーフォーカス式レンズの最至近距離物体合焦状態における球面収差図である。
【図８８】実施例１０にかかるインナーフォーカス式レンズの最至近距離物体合焦状態における像面湾曲図および歪曲収差図である。
【図８９】実施例１０にかかるインナーフォーカス式レンズの最至近距離物体合焦状態における倍率色収差図である。
【図９０】実施例１０にかかるインナーフォーカス式レンズの最至近距離物体合焦状態における横収差図である。
【図９１】実施例１１にかかるインナーフォーカス式レンズの構成を示す光軸に沿う断面図である。
【図９２】実施例１１にかかるインナーフォーカス式レンズの無限遠物体合焦状態における球面収差図である。
【図９３】実施例１１にかかるインナーフォーカス式レンズの無限遠物体合焦状態における像面湾曲図および歪曲収差図である。
【図９４】実施例１１にかかるインナーフォーカス式レンズの無限遠物体合焦状態における倍率色収差図である。
【図９５】実施例１１にかかるインナーフォーカス式レンズの無限遠物体合焦状態における横収差図である。
【図９６】実施例１１にかかるインナーフォーカス式レンズの最至近距離物体合焦状態における球面収差図である。
【図９７】実施例１１にかかるインナーフォーカス式レンズの最至近距離物体合焦状態における像面湾曲図および歪曲収差図である。
【図９８】実施例１１にかかるインナーフォーカス式レンズの最至近距離物体合焦状態における倍率色収差図である。
【図９９】実施例１１にかかるインナーフォーカス式レンズの最至近距離物体合焦状態における横収差図である。
【発明を実施するための形態】
【００２９】
以下、この発明にかかるインナーフォーカス式レンズの好適な実施の形態を詳細に説明する。
【００３０】
この発明にかかるインナーフォーカス式レンズは、開口絞りと、開口絞りより物体側に配置された、物体側に凹面を向けた第１のメニスカスレンズと、開口絞りより像側に配置された、像側に凹面を向けた第１の負レンズと、前記第１の負レンズより像側に配置された、像側に凸面を向けた第１の正レンズと、を備えている（基本構成）。
【００３１】
この発明では、開口絞りより物体側に、物体側に凹面を向けた第１のメニスカスレンズを配置したことにより、大口径化することにより顕著になるサジタルコマ収差を効果的に補正することができる。この収差補正効果は、開口絞りより物体側に、物体側に凹面を向けたメニスカスレンズを１枚配置することにより得られるが、当該メニスカスレンズを複数枚配置すればより優れた収差補正効果を得ることができる。なお、当該メニスカスレンズと開口絞りとの間隔が狭くなるほど、高次の球面収差、像面湾曲、非点収差の補正に有利になる。しかし、サジタルコマ収差の補正効果が弱くなるため、メニスカスレンズと開口絞りとの間隔を適切に設定することが必要である。さらに、開口絞りより像側に、像側に凹面を向けた第１の負レンズと、第１の負レンズより像側に配置された、像側に凸面を向けた第１の正レンズを配置したことにより、適切なバックフォーカスを確保することが可能になり、無限遠物体合焦状態から最至近距離物体合焦状態に至るまでのフォーカシングを収差変動を十分に抑制しながら行うことができる。加えて、標準レンズとして要求される画角にも十分対応可能な収差補正能力を備えることもできる。第１の正レンズは、像側に凸面を向けて配置されていればよく、両凸レンズでも平凸レンズでも差し支えない。また、開口絞りより像側に、像側に凹面を向けた第１の負レンズを配置したことにより、サジタルコマ収差を良好に補正することができる。なお、この第１の負レンズが負メニスカスレンズであれば、より良好にサジタルコマ収差を補正することができる。
【００３２】
さらに、この発明にかかるインナーフォーカス式レンズでは、第１の正レンズより像側に、物体側に凹面を向けた第２のメニスカスレンズを配置するとよい。このようにすることにより、フォーカシングの際に生じる収差変動を抑制することができるとともに、軸外収差を良好に補正することが可能になる。
【００３３】
さらに、この発明にかかるインナーフォーカス式レンズは、前記基本構成において、第１のメニスカスレンズと開口絞りとの間に、物体側から順に、第２の正レンズと、第２の負レンズとを配置し、開口絞りと第１の負レンズとの間に、第３の正レンズを配置するとよい。
【００３４】
このようにすることで、開口絞り近傍をトリプレットタイプに準ずるレンズ構成とすることができ、開口絞りを挟んでレンズ凹面が対向するガウスタイプのレンズ構成にみられるようなサジタルコマ収差の発生を抑制し、軸上収差と軸外収差とのバランスを整えることが可能になる。この結果、軸上色収差、倍率色収差、球面収差、非点収差、および像面湾曲などの諸収差を良好に補正して、高い結像性能を備えたインナーフォーカス式レンズを実現することができる。
【００３５】
ここで、さらなる大口径化を図る場合（たとえば、Ｆ１．４程度以下）、この発明のように、開口絞りよりも物体側に、物体側に凹面を向けたメニスカスレンズを配置した場合、高次の球面収差の発生が大きくなる傾向にある。そこで、第１のメニスカスレンズの物体側に、屈折力の弱い第４の正レンズを配置して、第１のメニスカスレンズの機能の一部を第４の正レンズに担わせることにより、高次の球面収差の発生を抑制することができる。
【００３６】
また、この発明にかかるインナーフォーカス式レンズでは、前記基本構成において、第１のメニスカスレンズの物体側に、物体側から順に、第２の正レンズと、第２の負レンズとを配置し、開口絞りと第１の負レンズとの間に、第３の正レンズを配置してもよい。
【００３７】
このように構成しても、開口絞りを挟んでレンズ凹面が対向するガウスタイプのレンズ構成にみられるようなサジタルコマ収差の発生を抑制し、軸上収差と軸外収差とのバランスを整えることが可能になる。この結果、軸上色収差、倍率色収差、球面収差、非点収差、および像面湾曲などの諸収差を良好に補正して、高い結像性能を備えたインナーフォーカス式レンズを実現することができる。
【００３８】
この発明にかかるインナーフォーカス式レンズは、第１の負レンズと第１の正レンズとの間隔を狭めることにより、無限遠物体合焦状態から最至近距離物体合焦状態に至るまでのフォーカシングを行う。
【００３９】
このように、第１の負レンズを移動させてフォーカシングを行うことで、コマ収差、球面収差の変動を抑制することができる。また、第１の正レンズを移動させてフォーカシングを行うことにより、非点収差をはじめとする軸外収差の変動を抑制することができる。
【００４０】
一方、第３の正レンズを像側から物体側に移動させることにより、無限遠物体合焦状態から最至近距離物体合焦状態に至るまでのフォーカシングを行ってもよい。このようにしても、非点収差をはじめとする軸外収差の変動を抑制し、収差変動の少ないフォーカシングを行うことができる。
【００４１】
さらに、この発明にかかるインナーフォーカス式レンズでは、第１の正レンズの焦点距離をｆＢ、光学系全系の焦点距離をｆとするとき、次に示す条件式を満足することが好ましい。
（１）  ０＜ｆＢ／ｆ＜３．０
【００４２】
条件式（１）は、光学系全系の焦点距離に対する第１の正レンズの焦点距離の比率を規定して、フォーカシングの際に生じる諸収差の変動を抑制し、結像性能を向上させるための条件を示すものである。条件式（１）においてその下限を下回ると、適切な光学系のバックフォーカスを確保することができず、良好な結像性能を維持できなくなる。一方、条件式（１）においてその上限を超えると、球面収差が大きく発生して、結像性能の著しい劣化をまねく。
【００４３】
なお、上記条件式（１）は、次に示す範囲を満足すると、より好ましい効果が期待できる。
（１）’  ０．５＜ｆＢ／ｆ＜１．２
この条件式（１）’で規定する範囲を満足することにより、より良好な結像性能を維持することができる。
【００４４】
さらに、この発明にかかるインナーフォーカス式レンズでは、第１のメニスカスレンズの物体側面の曲率半径をＲｍ、光学系全系の焦点距離をｆとするとき、次に示す条件式を満足することが好ましい。
（２）  −５．０＜Ｒｍ／ｆ＜０
【００４５】
条件式（２）は、光学系全系の焦点距離に対する第１のメニスカスレンズの物体側面の曲率半径の比率を規定して、結像性能を向上させるための条件を示すものである。条件式（２）においてその下限を下回ると、高次の球面収差が大きく発生して、結像性能の著しい劣化をまねく。一方、条件式（２）においてその上限を超えると、サジタルコマ収差やメリディオナルコマ収差の補正が困難になり、やはり結像性能の著しい劣化をまねく。
【００４６】
なお、上記条件式（２）は、次に示す範囲を満足すると、より好ましい効果が期待できる。
（２）’  −２．１＜Ｒｍ／ｆ＜−０．４５
この条件式（２）’で規定する範囲を満足することにより、より良好な結像性能を維持することができる。
【００４７】
以上説明したように、この発明によれば、大口径標準レンズとして使用可能な、高い結像性能を備えたインナーフォーカス式レンズを実現することができる。特に、上記各条件式を満足することにより、より優れた収差補正能力を備えることができる。なお、この発明のインナーフォーカス式レンズにおいて、第１のメニスカスレンズを、負レンズと正レンズとを接合して形成すれば、さらに諸収差を良好に補正することができる。また、適宜非球面を形成することによっても、より良好な収差補正を行うことができる。
【００４８】
以下、この発明にかかるインナーフォーカス式レンズの実施例を図面に基づき詳細に説明する。なお、以下の実施例によりこの発明が限定されるものではない。
【実施例１】
【００４９】
図１は、実施例１にかかるインナーフォーカス式レンズの構成を示す光軸に沿う断面図である。このインナーフォーカス式レンズは、図示しない物体側から順に、メニスカスレンズＬ11（第１のメニスカスレンズ）、正レンズＬ12（第２の正レンズ）、負レンズＬ13（第２の負レンズ）、開口絞りＳＴ、負レンズＬ14、正レンズＬ15（第３の正レンズ）、負メニスカスレンズＬ16（第１の負レンズ）、正レンズＬ17（第１の正レンズ）、およびメニスカスレンズＬ18（第２のメニスカスレンズ）が配置されて構成される。
【００５０】
メニスカスレンズＬ11は、物体側に凹面を向けて配置されている。負レンズＬ14と正レンズＬ15とは、接合されている。負メニスカスレンズＬ16は、像側に凹面を向けて配置されている。正レンズＬ17は、両凸レンズで構成されている。メニスカスレンズＬ18は、物体側に凹面を向けて配置されている。
【００５１】
このインナーフォーカス式レンズでは、負メニスカスレンズＬ16を光軸に沿って物体側から像側へ、正レンズＬ17を光軸に沿って像側から物体側へそれぞれ移動させ、それらの間隔を狭めることによって、無限遠物体合焦状態から最至近距離物体合焦状態に至るまでのフォーカシングを行う。
【００５２】
また、メニスカスレンズＬ18の像側には、カバーガラスＣＧが配置されている。カバーガラスＣＧは必要に応じて配置されるものであり、不要な場合は省略可能である。
【００５３】
以下、実施例１にかかるインナーフォーカス式レンズに関する各種数値データを示す。
【００５４】
（レンズデータ）
ｒ1＝-59.890
ｄ1＝3.000    ｎｄ1＝1.83481    νｄ1＝42.72
ｒ2＝-42.420
ｄ2＝3.000
ｒ3＝24.695
ｄ3＝4.000    ｎｄ2＝1.83481    νｄ2＝42.72
ｒ4＝73.102
ｄ4＝2.431
ｒ5＝-34.726
ｄ5＝2.000    ｎｄ3＝1.72825    νｄ3＝28.32
ｒ6＝19.785
ｄ6＝3.100
ｒ7＝∞（開口絞り）
ｄ7＝0.700
ｒ8＝33.509
ｄ8＝1.000    ｎｄ4＝1.84666    νｄ4＝23.78
ｒ9＝19.581
ｄ9＝5.104    ｎｄ5＝1.91082    νｄ5＝35.25
ｒ10＝-55.702
ｄ10＝D(10)（可変）
ｒ11＝35.354
ｄ11＝1.000    ｎｄ6＝1.60300    νｄ6＝65.44
ｒ12＝20.514
ｄ12＝D(12)（可変）
ｒ13＝59.028
ｄ13＝3.500    ｎｄ7＝1.72916    νｄ7＝54.67
ｒ14＝-28.674
ｄ14＝D(14)（可変）
ｒ15＝-21.979
ｄ15＝1.000    ｎｄ8＝1.80809    νｄ8＝22.76
ｒ16＝-59.729
ｄ16＝5.000
ｒ17＝∞
ｄ17＝2.000    ｎｄ9＝1.51680    νｄ9＝64.20
ｒ18＝∞
【００５５】
（各合焦状態の可変間隔）
無限遠    0.025倍    最至近距離
物体距離                 ∞       1240.000    400.000
D(10)                    0.500        2.232       5.213
D(12)                    8.052        6.007      2.721
D(14)                     6.884        7.067      7.580
【００５６】
ｆ（光学系全系の焦点距離）＝35.25
Ｆナンバー＝1.80
最大像高＝14.20
ｆＢ（正レンズＬ17の焦点距離）＝26.9
Ｒｍ（メニスカスレンズＬ11の物体側面の曲率半径）＝-59.9
【００５７】
（条件式（１）に関する数値）
ｆＢ／ｆ＝0.76
【００５８】
（条件式（２）に関する数値）
Ｒｍ／ｆ＝-1.70
【００５９】
図２は、実施例１にかかるインナーフォーカス式レンズの無限遠物体合焦状態における球面収差図である。図３は、実施例１にかかるインナーフォーカス式レンズの無限遠物体合焦状態における像面湾曲図および歪曲収差図である。図４は、実施例１にかかるインナーフォーカス式レンズの無限遠物体合焦状態における倍率色収差図である。図５は、実施例１にかかるインナーフォーカス式レンズの無限遠物体合焦状態における横収差図である。図５において、（ａ）は実像高０ｍｍにおける横収差曲線、（ｂ）は実像高７．１０ｍｍにおける横収差曲線、（ｃ）は実像高９．９４ｍｍにおける横収差曲線、（ｄ）は実像高１４．２０ｍｍにおける横収差曲線を示している。
【００６０】
図６は、実施例１にかかるインナーフォーカス式レンズの最至近距離物体合焦状態における球面収差図である。図７は、実施例１にかかるインナーフォーカス式レンズの最至近距離物体合焦状態における像面湾曲図および歪曲収差図である。図８は、実施例１にかかるインナーフォーカス式レンズの最至近距離物体合焦状態における倍率色収差図である。図９は、実施例１にかかるインナーフォーカス式レンズの最至近距離物体合焦状態における横収差図である。図９において、（ａ）は実像高０ｍｍにおける横収差曲線、（ｂ）は実像高７．１０ｍｍにおける横収差曲線、（ｃ）は実像高９．９４ｍｍにおける横収差曲線、（ｄ）は実像高１４．２０ｍｍにおける横収差曲線を示している。
【００６１】
なお、上記各収差図中、ｄはｄ線（λ＝５８７．６ｎｍ）、ｇはｇ線（λ＝４３５．８ｎｍ）、ＦはＦ線（λ＝４８６．１ｎｍ）、ＣはＣ線（λ＝６５６．３ｎｍ）、ｅはｅ線（λ＝５４６．１ｎｍ）に相当する波長の収差を表す。そして、像面湾曲図におけるＳ，Ｍは、それぞれサジタル像面、メリディオナル像面に対する収差を表す。
【実施例２】
【００６２】
図１０は、実施例２にかかるインナーフォーカス式レンズの構成を示す光軸に沿う断面図である。このインナーフォーカス式レンズは、図示しない物体側から順に、メニスカスレンズＬ21（第１のメニスカスレンズ）、正レンズＬ22（第２の正レンズ）、負レンズＬ23（第２の負レンズ）、開口絞りＳＴ、負メニスカスレンズＬ24、正レンズＬ25（第３の正レンズ）、負レンズＬ26（第１の負レンズ）、正レンズＬ27（第１の正レンズ）、およびメニスカスレンズＬ28（第２のメニスカスレンズ）が配置されて構成される。
【００６３】
メニスカスレンズＬ21は、物体側に凹面を向けて配置されている。負メニスカスレンズＬ24は、像側に凹面を向けて配置されている。また、負メニスカスレンズＬ24と正レンズＬ25とは、接合されている。正レンズＬ27は、両凸レンズで構成されている。メニスカスレンズＬ28は、物体側に凹面を向けて配置されている。
【００６４】
このインナーフォーカス式レンズでは、正レンズＬ25を光軸に沿って物体側へ移動させることによって、無限遠物体合焦状態から最至近距離物体合焦状態に至るまでのフォーカシングを行う。
【００６５】
また、メニスカスレンズＬ28の像側には、カバーガラスＣＧが配置されている。カバーガラスＣＧは必要に応じて配置されるものであり、不要な場合は省略可能である。
【００６６】
以下、実施例２にかかるインナーフォーカス式レンズに関する各種数値データを示す。
【００６７】
（レンズデータ）
ｒ1＝-19.502
ｄ1＝2.000    ｎｄ1＝1.83481    νｄ1＝42.72
ｒ2＝-19.723
ｄ2＝0.400
ｒ3＝21.308
ｄ3＝2.632    ｎｄ2＝1.83481    νｄ2＝42.72
ｒ4＝114.824
ｄ4＝1.068
ｒ5＝-57.513
ｄ5＝1.000    ｎｄ3＝1.72825    νｄ3＝28.32
ｒ6＝19.099
ｄ6＝4.794
ｒ7＝∞（開口絞り）
ｄ7＝D(7)（可変）
ｒ8＝29.811
ｄ8＝0.800    ｎｄ4＝1.84666    νｄ4＝23.78
ｒ9＝15.954
ｄ9＝4.925    ｎｄ5＝1.91082    νｄ5＝35.25
ｒ10＝-41.021
ｄ10＝0.500
ｒ11＝-40.904
ｄ11＝0.700    ｎｄ6＝1.60300    νｄ6＝65.44
ｒ12＝133.368
ｄ12＝D(12)（可変）
ｒ13＝68.082
ｄ13＝2.486    ｎｄ7＝1.72916    νｄ7＝54.67
ｒ14＝-31.344
ｄ14＝D(14)（可変）
ｒ15＝-16.622
ｄ15＝1.000    ｎｄ8＝1.80809    νｄ8＝22.76
ｒ16＝-47.882
ｄ16＝4.825
ｒ17＝∞
ｄ17＝2.000    ｎｄ9＝1.51680    νｄ9＝64.20
ｒ18＝∞
【００６８】
（各合焦状態の可変間隔）
無限遠    0.025倍    最至近距離
物体距離                 ∞       1240.000    600.000
D(7)                    2.231        1.378       0.700
D(12)                    9.218        9.916     10.391
D(14)                     3.556        3.830      4.148
【００６９】
ｆ（光学系全系の焦点距離）＝32.17
Ｆナンバー＝1.80
最大像高＝14.20
ｆＢ（正レンズＬ27の焦点距離）＝29.75
Ｒｍ（メニスカスレンズＬ21の物体側面の曲率半径）＝-19.50
【００７０】
（条件式（１）に関する数値）
ｆＢ／ｆ＝0.92
【００７１】
（条件式（２）に関する数値）
Ｒｍ／ｆ＝-0.61
【００７２】
図１１は、実施例２にかかるインナーフォーカス式レンズの無限遠物体合焦状態における球面収差図である。図１２は、実施例２にかかるインナーフォーカス式レンズの無限遠物体合焦状態における像面湾曲図および歪曲収差図である。図１３は、実施例２にかかるインナーフォーカス式レンズの無限遠物体合焦状態における倍率色収差図である。図１４は、実施例２にかかるインナーフォーカス式レンズの無限遠物体合焦状態における横収差図である。図１４において、（ａ）は実像高０ｍｍにおける横収差曲線、（ｂ）は実像高７．１０ｍｍにおける横収差曲線、（ｃ）は実像高９．９４ｍｍにおける横収差曲線、（ｄ）は実像高１４．２０ｍｍにおける横収差曲線を示している。
【００７３】
図１５は、実施例２にかかるインナーフォーカス式レンズの最至近距離物体合焦状態における球面収差図である。図１６は、実施例２にかかるインナーフォーカス式レンズの最至近距離物体合焦状態における像面湾曲図および歪曲収差図である。図１７は、実施例２にかかるインナーフォーカス式レンズの最至近距離物体合焦状態における倍率色収差図である。図１８は、実施例２にかかるインナーフォーカス式レンズの最至近距離物体合焦状態における横収差図である。図１８において、（ａ）は実像高０ｍｍにおける横収差曲線、（ｂ）は実像高７．１０ｍｍにおける横収差曲線、（ｃ）は実像高９．９４ｍｍにおける横収差曲線、（ｄ）は実像高１４．２０ｍｍにおける横収差曲線を示している。
【００７４】
なお、上記各収差図中、ｄはｄ線（λ＝５８７．６ｎｍ）、ｇはｇ線（λ＝４３５．８ｎｍ）、ＦはＦ線（λ＝４８６．１ｎｍ）、ＣはＣ線（λ＝６５６．３ｎｍ）、ｅはｅ線（λ＝５４６．１ｎｍ）に相当する波長の収差を表す。そして、像面湾曲図におけるＳ，Ｍは、それぞれサジタル像面、メリディオナル像面に対する収差を表す。
【実施例３】
【００７５】
図１９は、実施例３にかかるインナーフォーカス式レンズの構成を示す光軸に沿う断面図である。このインナーフォーカス式レンズは、図示しない物体側から順に、正レンズＬ31（第４の正レンズ）、メニスカスレンズＬ32（第１のメニスカスレンズ）、正レンズＬ33（第２の正レンズ）、負レンズＬ34（第２の負レンズ）、開口絞りＳＴ、負メニスカスレンズＬ35、正レンズＬ36（第３の正レンズ）、負レンズＬ37（第１の負レンズ）、正レンズＬ38（第１の正レンズ）、およびメニスカスレンズＬ39（第２のメニスカスレンズ）が配置されて構成される。
【００７６】
メニスカスレンズＬ32は、物体側に凹面を向けて配置されている。負メニスカスレンズＬ35は、像側に凹面を向けて配置されている。また、負メニスカスレンズＬ35と正レンズＬ36とは、接合されている。正レンズＬ38は、両凸レンズで構成されている。メニスカスレンズＬ39は、物体側に凹面を向けて配置されている。
【００７７】
このインナーフォーカス式レンズでは、正レンズＬ36を光軸に沿って像側から物体側へ移動させることによって、無限遠物体合焦状態から最至近距離物体合焦状態に至るまでのフォーカシングを行う。
【００７８】
また、メニスカスレンズＬ39の像側には、カバーガラスＣＧが配置されている。カバーガラスＣＧは必要に応じて配置されるものであり、不要な場合は省略可能である。
【００７９】
以下、実施例３にかかるインナーフォーカス式レンズに関する各種数値データを示す。
【００８０】
（レンズデータ）
ｒ1＝-256.311
ｄ1＝2.000    ｎｄ1＝1.83481    νｄ1＝42.72
ｒ2＝-182.456
ｄ2＝1.947
ｒ3＝-23.622
ｄ3＝2.000    ｎｄ2＝1.83481    νｄ2＝42.72
ｒ4＝-23.278
ｄ4＝2.000
ｒ5＝20.193
ｄ5＝2.632    ｎｄ3＝1.83481    νｄ3＝42.72
ｒ6＝73.407
ｄ6＝1.307
ｒ7＝-59.157
ｄ7＝1.000    ｎｄ4＝1.72825    νｄ4＝28.32
ｒ8＝17.632
ｄ8＝4.212
ｒ9＝∞（開口絞り）
ｄ9＝D(9)（可変）
ｒ10＝29.080
ｄ10＝0.500    ｎｄ5＝1.84666    νｄ5＝23.78
ｒ11＝15.709
ｄ11＝5.111    ｎｄ6＝1.91082    νｄ6＝35.25
ｒ12＝-37.566
ｄ12＝0.356
ｒ13＝-44.971
ｄ13＝0.500    ｎｄ7＝1.60300    νｄ7＝65.44
ｒ14＝106.056
ｄ14＝D(14)（可変）
ｒ15＝114.640
ｄ15＝2.261    ｎｄ8＝1.72916    νｄ8＝54.67
ｒ16＝-29.658
ｄ16＝D(16)（可変）
ｒ17＝-15.746
ｄ17＝1.000    ｎｄ9＝1.80809    νｄ9＝22.76
ｒ18＝-35.867
ｄ18＝4.536
ｒ19＝∞
ｄ19＝2.000    ｎｄ10＝1.51680    νｄ10＝64.20
ｒ20＝∞
【００８１】
（各合焦状態の可変間隔）
無限遠    0.025倍    最至近距離
物体距離                 ∞       1240.000    600.000
D(9)                    1.838        1.155       0.700
D(14)                   10.908       11.225     11.349
D(16)                     3.441        3.906      4.304
【００８２】
ｆ（光学系全系の焦点距離）＝33.651
Ｆナンバー＝1.818
最大像高＝14.20
ｆＢ（正レンズＬ38の焦点距離）＝32.53
Ｒｍ（メニスカスレンズＬ32の物体側面の曲率半径）＝-23.62
【００８３】
（条件式（１）に関する数値）
ｆＢ／ｆ＝0.97
【００８４】
（条件式（２）に関する数値）
Ｒｍ／ｆ＝-0.70
【００８５】
図２０は、実施例３にかかるインナーフォーカス式レンズの無限遠物体合焦状態における球面収差図である。図２１は、実施例３にかかるインナーフォーカス式レンズの無限遠物体合焦状態における像面湾曲図および歪曲収差図である。図２２は、実施例３にかかるインナーフォーカス式レンズの無限遠物体合焦状態における倍率色収差図である。図２３は、実施例３にかかるインナーフォーカス式レンズの無限遠物体合焦状態における横収差図である。図２３において、（ａ）は実像高０ｍｍにおける横収差曲線、（ｂ）は実像高７．１０ｍｍにおける横収差曲線、（ｃ）は実像高９．９４ｍｍにおける横収差曲線、（ｄ）は実像高１４．２０ｍｍにおける横収差曲線を示している。
【００８６】
図２４は、実施例３にかかるインナーフォーカス式レンズの最至近距離物体合焦状態における球面収差図である。図２５は、実施例３にかかるインナーフォーカス式レンズの最至近距離物体合焦状態における像面湾曲図および歪曲収差図である。図２６は、実施例３にかかるインナーフォーカス式レンズの最至近距離物体合焦状態における倍率色収差図である。図２７は、実施例３にかかるインナーフォーカス式レンズの最至近距離物体合焦状態における横収差図である。図２７において、（ａ）は実像高０ｍｍにおける横収差曲線、（ｂ）は実像高７．１０ｍｍにおける横収差曲線、（ｃ）は実像高９．９４ｍｍにおける横収差曲線、（ｄ）は実像高１４．２０ｍｍにおける横収差曲線を示している。
【００８７】
なお、上記各収差図中、ｄはｄ線（λ＝５８７．６ｎｍ）、ｇはｇ線（λ＝４３５．８ｎｍ）、ＦはＦ線（λ＝４８６．１ｎｍ）、ＣはＣ線（λ＝６５６．３ｎｍ）、ｅはｅ線（λ＝５４６．１ｎｍ）に相当する波長の収差を表す。そして、像面湾曲図におけるＳ，Ｍは、それぞれサジタル像面、メリディオナル像面に対する収差を表す。
【実施例４】
【００８８】
図２８は、実施例４にかかるインナーフォーカス式レンズの構成を示す光軸に沿う断面図である。このインナーフォーカス式レンズは、図示しない物体側から順に、正レンズＬ61（第４の正レンズ）、メニスカスレンズＬ62（第１のメニスカスレンズ）、正レンズＬ63（第２の正レンズ）、負レンズＬ64（第２の負レンズ）、開口絞りＳＴ、負レンズＬ65、正レンズＬ66（第３の正レンズ）、負メニスカスレンズＬ67（第１の負レンズ）、正レンズＬ68（第１の正レンズ）、およびメニスカスレンズＬ69（第２のメニスカスレンズ）が配置されて構成される。
【００８９】
メニスカスレンズＬ62は、物体側に凹面を向けて配置されている。メニスカスレンズＬ62の像側面には、非球面が形成されている。正レンズＬ63の物体側面には、非球面が形成されている。負レンズＬ65の物体側面には、非球面が形成されている。負レンズＬ65と正レンズＬ66とは、接合されている。負メニスカスレンズＬ67は、像側に凹面を向けて配置されている。正レンズＬ68は、両凸レンズで構成されている。正レンズＬ68の物体側面には、非球面が形成されている。メニスカスレンズＬ69は、物体側に凹面を向けて配置されている。
【００９０】
このインナーフォーカス式レンズでは、負メニスカスレンズＬ67を光軸に沿って物体側から像側へ、正レンズＬ68を光軸に沿って像側から物体側へそれぞれ移動させ、それらの間隔を狭めることによって、無限遠物体合焦状態から最至近距離物体合焦状態に至るまでのフォーカシングを行う。
【００９１】
また、メニスカスレンズＬ69の像側には、カバーガラスＣＧが配置されている。カバーガラスＣＧは必要に応じて配置されるものであり、不要な場合は省略可能である。
【００９２】
以下、実施例４にかかるインナーフォーカス式レンズに関する各種数値データを示す。
【００９３】
（レンズデータ）
ｒ1＝-2268.565
ｄ1＝2.330    ｎｄ1＝1.83481    νｄ1＝42.72
ｒ2＝-52.071
ｄ2＝1.478
ｒ3＝-30.558
ｄ3＝1.593    ｎｄ2＝1.83481    νｄ2＝42.72
ｒ4＝-32.508（非球面）
ｄ4＝1.000
ｒ5＝18.582（非球面）
ｄ5＝3.507    ｎｄ3＝1.83481    νｄ3＝42.72
ｒ6＝22.297
ｄ6＝3.741
ｒ7＝-48.669
ｄ7＝1.000    ｎｄ4＝1.72825    νｄ4＝28.32
ｒ8＝19.301
ｄ8＝3.491
ｒ9＝∞（開口絞り）
ｄ9＝0.700
ｒ10＝34.173（非球面）
ｄ10＝1.000    ｎｄ5＝1.84666    νｄ5＝23.78
ｒ11＝17.207
ｄ11＝6.982    ｎｄ6＝1.91082    νｄ6＝35.25
ｒ12＝-68.639
ｄ12＝D(12)（可変）
ｒ13＝61.207
ｄ13＝1.000    ｎｄ7＝1.60300    νｄ7＝65.44
ｒ14＝24.067
ｄ14＝D(14)（可変）
ｒ15＝43.712（非球面）
ｄ15＝4.787    ｎｄ8＝1.72916    νｄ8＝54.67
ｒ16＝-28.792
ｄ16＝D(16)（可変）
ｒ17＝-21.076
ｄ17＝1.000    ｎｄ9＝1.80809    νｄ9＝22.76
ｒ18＝-37.654
ｄ18＝5.000
ｒ19＝∞
ｄ19＝2.000    ｎｄ10＝1.51680    νｄ10＝64.20
ｒ20＝∞
【００９４】
円錐係数（Ｋ）および非球面係数（Ａ，Ｂ，Ｃ，Ｄ）
（第４面）
Ｋ＝-0.1551,
Ａ＝0,   Ｂ＝8.34893×10-7,
Ｃ＝4.86713×10-10,   Ｄ＝-1.77662×10-11
（第５面）
Ｋ＝-0.0042,
Ａ＝0,   Ｂ＝-4.50840×10-10,
Ｃ＝1.27514×10-9,   Ｄ＝-1.81248×10-11
（第１０面）
Ｋ＝-0.2772,
Ａ＝0,   Ｂ＝-2.37935×10-7,
Ｃ＝-4.63079×10-9,   Ｄ＝-2.75770×10-11
（第１５面）
Ｋ＝-0.0980,
Ａ＝0,   Ｂ＝-5.46640×10-7,
Ｃ＝9.48583×10-9,   Ｄ＝-6.00412×10-11
【００９５】
（各合焦状態の可変間隔）
無限遠    0.025倍    最至近距離
物体距離                 ∞       1240.000    400.000
D(12)                     0.500        1.813      3.904
D(14)                    8.067        6.362      3.904
D(16)                     5.613        6.002      6.771
【００９６】
ｆ（光学系全系の焦点距離）＝35.62
Ｆナンバー＝1.34
最大像高＝14.20
ｆＢ（正レンズＬ68の焦点距離）＝24.49
Ｒｍ（メニスカスレンズＬ62の物体側面の曲率半径）＝-30.56
【００９７】
（条件式（１）に関する数値）
ｆＢ／ｆ＝0.69
【００９８】
（条件式（２）に関する数値）
Ｒｍ／ｆ＝-0.86
【００９９】
図２９は、実施例４にかかるインナーフォーカス式レンズの無限遠物体合焦状態における球面収差図である。図３０は、実施例４にかかるインナーフォーカス式レンズの無限遠物体合焦状態における像面湾曲図および歪曲収差図である。図３１は、実施例４にかかるインナーフォーカス式レンズの無限遠物体合焦状態における倍率色収差図である。図３２０は、実施例４にかかるインナーフォーカス式レンズの無限遠物体合焦状態における横収差図である。図３２において、（ａ）は実像高０ｍｍにおける横収差曲線、（ｂ）は実像高７．１０ｍｍにおける横収差曲線、（ｃ）は実像高９．９４ｍｍにおける横収差曲線、（ｄ）は実像高１４．２０ｍｍにおける横収差曲線を示している。
【０１００】
図３３は、実施例４にかかるインナーフォーカス式レンズの最至近距離物体合焦状態における球面収差図である。図３４は、実施例４にかかるインナーフォーカス式レンズの最至近距離物体合焦状態における像面湾曲図および歪曲収差図である。図３５は、実施例４にかかるインナーフォーカス式レンズの最至近距離物体合焦状態における倍率色収差図である。図３６は、実施例４にかかるインナーフォーカス式レンズの最至近距離物体合焦状態における横収差図である。図３６において、（ａ）は実像高０ｍｍにおける横収差曲線、（ｂ）は実像高７．１０ｍｍにおける横収差曲線、（ｃ）は実像高９．９４ｍｍにおける横収差曲線、（ｄ）は実像高１４．２０ｍｍにおける横収差曲線を示している。
【０１０１】
なお、上記各収差図中、ｄはｄ線（λ＝５８７．６ｎｍ）、ｇはｇ線（λ＝４３５．８ｎｍ）、ＦはＦ線（λ＝４８６．１ｎｍ）、ＣはＣ線（λ＝６５６．３ｎｍ）、ｅはｅ線（λ＝５４６．１ｎｍ）に相当する波長の収差を表す。そして、像面湾曲図におけるＳ，Ｍは、それぞれサジタル像面、メリディオナル像面に対する収差を表す。
【実施例５】
【０１０２】
図３７は、実施例５にかかるインナーフォーカス式レンズの構成を示す光軸に沿う断面図である。このインナーフォーカス式レンズは、図示しない物体側から順に、正レンズＬ71（第４の正レンズ）、メニスカスレンズＬ72（第１のメニスカスレンズ）、正レンズＬ73（第２の正レンズ）、負レンズＬ74（第２の負レンズ）、開口絞りＳＴ、負レンズＬ75、正レンズＬ76（第３の正レンズ）、負メニスカスレンズＬ77（第１の負レンズ）、正レンズＬ78（第１の正レンズ）、およびメニスカスレンズＬ79（第２のメニスカスレンズ）が配置されて構成される。
【０１０３】
メニスカスレンズＬ72は、物体側に凹面を向けて配置されている。負レンズＬ75と正レンズＬ76とは、接合されている。負メニスカスレンズＬ77は、像側に凹面を向けて配置されている。正レンズＬ78は、両凸レンズで構成されている。メニスカスレンズＬ79は、物体側に凹面を向けて配置されている。
【０１０４】
このインナーフォーカス式レンズでは、負メニスカスレンズＬ77を光軸に沿って物体側から像側へ、正レンズＬ78を光軸に沿って像側から物体側へそれぞれ移動させ、それらの間隔を狭めることによって、無限遠物体合焦状態から最至近距離物体合焦状態に至るまでのフォーカシングを行う。
【０１０５】
また、メニスカスレンズＬ79の像側には、カバーガラスＣＧが配置されている。カバーガラスＣＧは必要に応じて配置されるものであり、不要な場合は省略可能である。
【０１０６】
以下、実施例５にかかるインナーフォーカス式レンズに関する各種数値データを示す。
【０１０７】
（レンズデータ）
ｒ1＝-157.348
ｄ1＝2.330    ｎｄ1＝1.83481    νｄ1＝42.72
ｒ2＝-50.024
ｄ2＝2.084
ｒ3＝-24.121
ｄ3＝2.850    ｎｄ2＝1.83481    νｄ2＝42.72
ｒ4＝-25.264
ｄ4＝1.000
ｒ5＝22.353
ｄ5＝6.025    ｎｄ3＝1.83481    νｄ3＝42.72
ｒ6＝34.440
ｄ6＝2.665
ｒ7＝-49.704
ｄ7＝1.000    ｎｄ4＝1.72825    νｄ4＝28.32
ｒ8＝18.089
ｄ8＝3.100
ｒ9＝∞（開口絞り）
ｄ9＝0.700
ｒ10＝33.798
ｄ10＝1.000    ｎｄ5＝1.84666    νｄ5＝23.78
ｒ11＝17.396
ｄ11＝4.563    ｎｄ6＝1.91082    νｄ6＝35.25
ｒ12＝-74.843
ｄ12＝D(12)（可変）
ｒ13＝63.864
ｄ13＝1.000    ｎｄ7＝1.60300    νｄ7＝65.44
ｒ14＝26.576
ｄ14＝D(14)（可変）
ｒ15＝68.735
ｄ15＝3.803    ｎｄ8＝1.72916    νｄ8＝54.67
ｒ16＝-26.242
ｄ16＝D(16)（可変）
ｒ17＝-19.308
ｄ17＝1.000    ｎｄ9＝1.80809    νｄ9＝22.76
ｒ18＝-29.601
ｄ18＝5.000
ｒ19＝∞
ｄ19＝2.000    ｎｄ10＝1.51680    νｄ10＝64.20
ｒ20＝∞
【０１０８】
（各合焦状態の可変間隔）
無限遠    0.025倍    最至近距離
物体距離                 ∞       1240.000    400.000
D(12)                     0.500        1.670      4.502
D(14)                   10.701        9.170      5.749
D(16)                     5.882        6.208      7.193
【０１０９】
ｆ（光学系全系の焦点距離）＝36.74
Ｆナンバー＝1.49
最大像高＝14.20
ｆＢ（正レンズＬ78の焦点距離）＝26.49
Ｒｍ（メニスカスレンズＬ72の物体側面の曲率半径）＝-24.12
【０１１０】
（条件式（１）に関する数値）
ｆＢ／ｆ＝0.72
【０１１１】
（条件式（２）に関する数値）
Ｒｍ／ｆ＝-0.66
【０１１２】
図３８は、実施例５にかかるインナーフォーカス式レンズの無限遠物体合焦状態における球面収差図である。図３９は、実施例５にかかるインナーフォーカス式レンズの無限遠物体合焦状態における像面湾曲図および歪曲収差図である。図４０は、実施例５にかかるインナーフォーカス式レンズの無限遠物体合焦状態における倍率色収差図である。図４１は、実施例５にかかるインナーフォーカス式レンズの無限遠物体合焦状態における横収差図である。図４１において、（ａ）は実像高０ｍｍにおける横収差曲線、（ｂ）は実像高７．１０ｍｍにおける横収差曲線、（ｃ）は実像高９．９４ｍｍにおける横収差曲線、（ｄ）は実像高１４．２０ｍｍにおける横収差曲線を示している。
【０１１３】
図４２は、実施例５にかかるインナーフォーカス式レンズの最至近距離物体合焦状態における球面収差図である。図４３は、実施例５にかかるインナーフォーカス式レンズの最至近距離物体合焦状態における像面湾曲図および歪曲収差図である。図４４は、実施例５にかかるインナーフォーカス式レンズの最至近距離物体合焦状態における倍率色収差図である。図４５は、実施例５にかかるインナーフォーカス式レンズの最至近距離物体合焦状態における横収差図である。図４５において、（ａ）は実像高０ｍｍにおける横収差曲線、（ｂ）は実像高７．１０ｍｍにおける横収差曲線、（ｃ）は実像高９．９４ｍｍにおける横収差曲線、（ｄ）は実像高１４．２０ｍｍにおける横収差曲線を示している。
【０１１４】
なお、上記各収差図中、ｄはｄ線（λ＝５８７．６ｎｍ）、ｇはｇ線（λ＝４３５．８ｎｍ）、ＦはＦ線（λ＝４８６．１ｎｍ）、ＣはＣ線（λ＝６５６．３ｎｍ）、ｅはｅ線（λ＝５４６．１ｎｍ）に相当する波長の収差を表す。そして、像面湾曲図におけるＳ，Ｍは、それぞれサジタル像面、メリディオナル像面に対する収差を表す。
【実施例６】
【０１１５】
図４６は、実施例６にかかるインナーフォーカス式レンズの構成を示す光軸に沿う断面図である。このインナーフォーカス式レンズは、図示しない物体側から順に、正レンズＬ81、正レンズＬ82（第２の正レンズ）、負レンズＬ83（第２の負レンズ）、メニスカスレンズＬ84（第１のメニスカスレンズ）、開口絞りＳＴ、負レンズＬ85、正レンズＬ86（第３の正レンズ）、負メニスカスレンズＬ87（第１の負レンズ）、正レンズＬ88（第１の正レンズ）、およびメニスカスレンズＬ89（第２のメニスカスレンズ）が配置されて構成される。
【０１１６】
メニスカスレンズＬ84は、物体側に凹面を向けて配置されている。負レンズＬ85と正レンズＬ86とは、接合されている。負メニスカスレンズＬ87は、像側に凹面を向けて配置されている。正レンズＬ88は、両凸レンズで構成されている。メニスカスレンズＬ89は、物体側に凹面を向けて配置されている。
【０１１７】
このインナーフォーカス式レンズでは、負メニスカスレンズＬ87を光軸に沿って物体側から像側へ、正レンズＬ88を光軸に沿って像側から物体側へそれぞれ移動させ、それらの間隔を狭めることによって、無限遠物体合焦状態から最至近距離物体合焦状態に至るまでのフォーカシングを行う。
【０１１８】
また、メニスカスレンズＬ89の像側には、カバーガラスＣＧが配置されている。カバーガラスＣＧは必要に応じて配置されるものであり、不要な場合は省略可能である。
【０１１９】
以下、実施例６にかかるインナーフォーカス式レンズに関する各種数値データを示す。
【０１２０】
（レンズデータ）
ｒ1＝683.235
ｄ1＝2.330    ｎｄ1＝1.83481    νｄ1＝42.72
ｒ2＝-90.015
ｄ2＝0.100
ｒ3＝21.167
ｄ3＝4.851    ｎｄ2＝1.83481    νｄ2＝42.72
ｒ4＝56.810
ｄ4＝2.665
ｒ5＝-219.786
ｄ5＝1.000    ｎｄ3＝1.72825    νｄ3＝28.32
ｒ6＝14.546
ｄ6＝4.402
ｒ7＝-27.860
ｄ7＝4.407    ｎｄ4＝1.51633    νｄ4＝64.15
ｒ8＝-30.553
ｄ8＝0
ｒ9＝∞（開口絞り）
ｄ9＝0.700
ｒ10＝36.229
ｄ10＝1.000    ｎｄ5＝1.84666    νｄ5＝23.78
ｒ11＝16.833
ｄ11＝3.568    ｎｄ6＝1.91082    νｄ6＝35.25
ｒ12＝-349.850
ｄ12＝D(12)（可変）
ｒ13＝71.687
ｄ13＝1.000    ｎｄ7＝1.60300    νｄ7＝65.44
ｒ14＝23.881
ｄ14＝D(14)（可変）
ｒ15＝51.278
ｄ15＝4.046    ｎｄ8＝1.72916    νｄ8＝54.67
ｒ16＝-26.894
ｄ16＝D(16)（可変）
ｒ17＝-20.704
ｄ17＝1.000    ｎｄ9＝1.80809    νｄ9＝22.76
ｒ18＝-35.036
ｄ18＝5.000
ｒ19＝∞
ｄ19＝2.000    ｎｄ10＝1.51680    νｄ10＝64.20
ｒ20＝∞
【０１２１】
（各合焦状態の可変間隔）
無限遠    最至近距離
物体距離                 ∞        400.000
D(12)                     0.500        3.946
D(14)                    9.530        5.220
D(16)                     5.602        6.703
【０１２２】
ｆ（光学系全系の焦点距離）＝35.38
Ｆナンバー＝1.50
最大像高＝14.20
ｆＢ（正レンズＬ88の焦点距離）＝24.73
Ｒｍ（メニスカスレンズＬ84の物体側面の曲率半径）＝-27.86
【０１２３】
（条件式（１）に関する数値）
ｆＢ／ｆ＝0.70
【０１２４】
（条件式（２）に関する数値）
Ｒｍ／ｆ＝-0.79
【０１２５】
図４７は、実施例６にかかるインナーフォーカス式レンズの無限遠物体合焦状態における球面収差図である。図４８は、実施例６にかかるインナーフォーカス式レンズの無限遠物体合焦状態における像面湾曲図および歪曲収差図である。図４９は、実施例６にかかるインナーフォーカス式レンズの無限遠物体合焦状態における倍率色収差図である。図５０は、実施例６にかかるインナーフォーカス式レンズの無限遠物体合焦状態における横収差図である。図５０において、（ａ）は実像高０ｍｍにおける横収差曲線、（ｂ）は実像高７．１０ｍｍにおける横収差曲線、（ｃ）は実像高９．９４ｍｍにおける横収差曲線、（ｄ）は実像高１４．２０ｍｍにおける横収差曲線を示している。
【０１２６】
図５１は、実施例６にかかるインナーフォーカス式レンズの最至近距離物体合焦状態における球面収差図である。図５２は、実施例６にかかるインナーフォーカス式レンズの最至近距離物体合焦状態における像面湾曲図および歪曲収差図である。図５３は、実施例６にかかるインナーフォーカス式レンズの最至近距離物体合焦状態における倍率色収差図である。図５４は、実施例６にかかるインナーフォーカス式レンズの最至近距離物体合焦状態における横収差図である。図５４において、（ａ）は実像高０ｍｍにおける横収差曲線、（ｂ）は実像高７．１０ｍｍにおける横収差曲線、（ｃ）は実像高９．９４ｍｍにおける横収差曲線、（ｄ）は実像高１４．２０ｍｍにおける横収差曲線を示している。
【０１２７】
なお、上記各収差図中、ｄはｄ線（λ＝５８７．６ｎｍ）、ｇはｇ線（λ＝４３５．８ｎｍ）、ＦはＦ線（λ＝４８６．１ｎｍ）、ＣはＣ線（λ＝６５６．３ｎｍ）、ｅはｅ線（λ＝５４６．１ｎｍ）に相当する波長の収差を表す。そして、像面湾曲図におけるＳ，Ｍは、それぞれサジタル像面、メリディオナル像面に対する収差を表す。
【実施例７】
【０１２８】
図５５は、実施例７にかかるインナーフォーカス式レンズの構成を示す光軸に沿う断面図である。このインナーフォーカス式レンズは、図示しない物体側から順に、正レンズＬ91、正レンズＬ92（第２の正レンズ）、負レンズＬ93（第２の負レンズ）、メニスカスレンズＬ94（第１のメニスカスレンズ）、開口絞りＳＴ、正レンズＬ95（第３の正レンズ）、負レンズＬ96、負メニスカスレンズＬ97（第１の負レンズ）、正レンズＬ98（第１の正レンズ）、およびメニスカスレンズＬ99（第２のメニスカスレンズ）が配置されて構成される。
【０１２９】
メニスカスレンズＬ94は、物体側から順に配置された、負レンズＬ941と正レンズＬ942とが接合されて形成されている。このメニスカスレンズＬ94は、物体側に凹面を向けて配置されている。正レンズＬ95と負レンズＬ96とは、接合されている。負メニスカスレンズＬ97は、像側に凹面を向けて配置されている。正レンズＬ98は、両凸レンズで構成されている。メニスカスレンズＬ99は、物体側に凹面を向けて配置されている。
【０１３０】
このインナーフォーカス式レンズでは、負メニスカスレンズＬ97を光軸に沿って物体側から像側へ、正レンズＬ98を光軸に沿って像側から物体側へそれぞれ移動させ、それらの間隔を狭めることによって、無限遠物体合焦状態から最至近距離物体合焦状態に至るまでのフォーカシングを行う。
【０１３１】
また、メニスカスレンズＬ99の像側には、カバーガラスＣＧが配置されている。カバーガラスＣＧは必要に応じて配置されるものであり、不要な場合は省略可能である。
【０１３２】
以下、実施例７にかかるインナーフォーカス式レンズに関する各種数値データを示す。
【０１３３】
（レンズデータ）
ｒ1＝-9515.475
ｄ1＝2.330    ｎｄ1＝1.80400    νｄ1＝46.57
ｒ2＝-73.251
ｄ2＝0.100
ｒ3＝19.229
ｄ3＝3.454    ｎｄ2＝1.80318    νｄ2＝46.38
ｒ4＝41.633
ｄ4＝1.906
ｒ5＝274.129
ｄ5＝1.000    ｎｄ3＝1.69600    νｄ3＝36.29
ｒ6＝14.616
ｄ6＝6.745
ｒ7＝-18.709
ｄ7＝0.700    ｎｄ4＝1.59270    νｄ4＝35.30
ｒ8＝94.901
ｄ8＝3.863    ｎｄ5＝1.88300    νｄ5＝40.77
ｒ9＝-28.097
ｄ9＝0.700
ｒ10＝∞（開口絞り）
ｄ10＝0.700
ｒ11＝27.632
ｄ11＝4.164    ｎｄ6＝1.75500    νｄ6＝52.33
ｒ12＝-158.397
ｄ12＝1.000    ｎｄ7＝2.00178    νｄ7＝19.32
ｒ13＝1313.843
ｄ13＝D(13)（可変）
ｒ14＝63.872
ｄ14＝1.000    ｎｄ8＝1.61405    νｄ8＝54.99
ｒ15＝20.433
ｄ15＝D(15)（可変）
ｒ16＝49.723
ｄ16＝4.881    ｎｄ9＝1.72916    νｄ9＝54.67
ｒ17＝-29.255
ｄ17＝D(17)（可変）
ｒ18＝-23.924
ｄ18＝1.000    ｎｄ10＝1.80809    νｄ10＝22.76
ｒ19＝-47.034
ｄ19＝5.000
ｒ20＝∞
ｄ20＝2.000    ｎｄ11＝1.51680    νｄ11＝64.20
ｒ21＝∞
【０１３４】
（各合焦状態の可変間隔）
無限遠    0.025倍    最至近距離
物体距離                 ∞       1240.000    400.000
D(13)                     0.500        1.132      3.258
D(15)                   10.163        9.443      6.680
D(17)                     4.975        5.133      5.800
絞り半径                 11.200        11.237      11.237
【０１３５】
ｆ（光学系全系の焦点距離）＝36.67
Ｆナンバー＝1.43
最大像高＝14.50
ｆＢ（正レンズＬ98の焦点距離）＝25.94
Ｒｍ（メニスカスレンズＬ94の物体側面の曲率半径）＝-18.71
【０１３６】
（条件式（１）に関する数値）
ｆＢ／ｆ＝0.71
【０１３７】
（条件式（２）に関する数値）
Ｒｍ／ｆ＝-0.51
【０１３８】
図５６は、実施例７にかかるインナーフォーカス式レンズの無限遠物体合焦状態における球面収差図である。図５７は、実施例７にかかるインナーフォーカス式レンズの無限遠物体合焦状態における像面湾曲図および歪曲収差図である。図５８は、実施例７にかかるインナーフォーカス式レンズの無限遠物体合焦状態における倍率色収差図である。図５９は、実施例７にかかるインナーフォーカス式レンズの無限遠物体合焦状態における横収差図である。図５９において、（ａ）は実像高０ｍｍにおける横収差曲線、（ｂ）は実像高７．２５ｍｍにおける横収差曲線、（ｃ）は実像高１０．１５ｍｍにおける横収差曲線、（ｄ）は実像高１４．５０ｍｍにおける横収差曲線を示している。
【０１３９】
図６０は、実施例７にかかるインナーフォーカス式レンズの最至近距離物体合焦状態における球面収差図である。図６１は、実施例７にかかるインナーフォーカス式レンズの最至近距離物体合焦状態における像面湾曲図および歪曲収差図である。図６２は、実施例７にかかるインナーフォーカス式レンズの最至近距離物体合焦状態における倍率色収差図である。図６３は、実施例７にかかるインナーフォーカス式レンズの最至近距離物体合焦状態における横収差図である。図６３において、（ａ）は実像高０ｍｍにおける横収差曲線、（ｂ）は実像高７．２５ｍｍにおける横収差曲線、（ｃ）は実像高１０．１５ｍｍにおける横収差曲線、（ｄ）は実像高１４．５０ｍｍにおける横収差曲線を示している。
【０１４０】
なお、上記各収差図中、ｄはｄ線（λ＝５８７．６ｎｍ）、ｇはｇ線（λ＝４３５．８ｎｍ）、ＦはＦ線（λ＝４８６．１ｎｍ）、ＣはＣ線（λ＝６５６．３ｎｍ）、ｅはｅ線（λ＝５４６．１ｎｍ）に相当する波長の収差を表す。そして、像面湾曲図におけるＳ，Ｍは、それぞれサジタル像面、メリディオナル像面に対する収差を表す。
【実施例８】
【０１４１】
図６４は、実施例８にかかるインナーフォーカス式レンズの構成を示す光軸に沿う断面図である。このインナーフォーカス式レンズは、図示しない物体側から順に、正レンズＬ101、正レンズＬ102（第２の正レンズ）、負レンズＬ103（第２の負レンズ）、メニスカスレンズＬ104（第１のメニスカスレンズ）、開口絞りＳＴ、負レンズＬ105、正レンズＬ106（第３の正レンズ）、負レンズＬ107、負メニスカスレンズＬ108（第１の負レンズ）、正レンズＬ109（第１の正レンズ）、およびメニスカスレンズＬ110（第２のメニスカスレンズ）が配置されて構成される。
【０１４２】
メニスカスレンズＬ104は、物体側から順に配置された、負レンズＬ1041と正レンズＬ1042とが接合されて形成されている。このメニスカスレンズＬ104は、物体側に凹面を向けて配置されている。負レンズＬ105と正レンズＬ106と負レンズＬ107とは、接合されている。負メニスカスレンズＬ108は、像側に凹面を向けて配置されている。正レンズＬ109は、両凸レンズで構成されている。メニスカスレンズＬ110は、物体側に凹面を向けて配置されている。
【０１４３】
このインナーフォーカス式レンズでは、負メニスカスレンズＬ108を光軸に沿って物体側から像側へ、正レンズＬ109を光軸に沿って像側から物体側へそれぞれ移動させ、それらの間隔を狭めることによって、無限遠物体合焦状態から最至近距離物体合焦状態に至るまでのフォーカシングを行う。
【０１４４】
また、メニスカスレンズＬ110の像側には、カバーガラスＣＧが配置されている。カバーガラスＣＧは必要に応じて配置されるものであり、不要な場合は省略可能である。
【０１４５】
以下、実施例８にかかるインナーフォーカス式レンズに関する各種数値データを示す。
【０１４６】
（レンズデータ）
ｒ1＝889.725
ｄ1＝2.330    ｎｄ1＝1.80400    νｄ1＝46.58
ｒ2＝-80.124
ｄ2＝0.100
ｒ3＝20.509
ｄ3＝3.642    ｎｄ2＝1.80400    νｄ2＝46.58
ｒ4＝44.888
ｄ4＝3.168
ｒ5＝1428.337
ｄ5＝0.999    ｎｄ3＝1.69320    νｄ3＝33.74
ｒ6＝14.577
ｄ6＝6.229
ｒ7＝-20.773
ｄ7＝0.700    ｎｄ4＝1.59270    νｄ4＝35.30
ｒ8＝61.275
ｄ8＝3.815    ｎｄ5＝1.88300    νｄ5＝40.77
ｒ9＝-32.212
ｄ9＝0.700
ｒ10＝∞（開口絞り）
ｄ10＝0.700
ｒ11＝31.837
ｄ11＝1.000    ｎｄ6＝1.75211    νｄ6＝25.05
ｒ12＝26.265
ｄ12＝4.085    ｎｄ7＝1.77250    νｄ7＝49.62
ｒ13＝-100.062
ｄ13＝1.000    ｎｄ8＝1.84666    νｄ8＝23.78
ｒ14＝-430.173
ｄ14＝D(14)（可変）
ｒ15＝88.199
ｄ15＝1.000    ｎｄ9＝1.60300    νｄ9＝65.44
ｒ16＝22.246
ｄ16＝D(16)（可変）
ｒ17＝44.397
ｄ17＝5.670    ｎｄ10＝1.72916    νｄ10＝54.67
ｒ18＝-27.822
ｄ18＝D(18)（可変）
ｒ19＝-21.744
ｄ19＝1.000    ｎｄ11＝1.80809    νｄ11＝22.76
ｒ20＝-38.390
ｄ20＝5.000
ｒ21＝∞
ｄ21＝2.000    ｎｄ12＝1.51680    νｄ12＝64.20
ｒ22＝∞
【０１４７】
（各合焦状態の可変間隔）
無限遠    0.025倍    最至近距離
物体距離                 ∞       1240.000    400.000
D(14)                     0.500        1.371      3.551
D(16)                    9.571        8.368      5.802
D(18)                     4.440        4.698      5.338
【０１４８】
ｆ（光学系全系の焦点距離）＝36.48
Ｆナンバー＝1.44
最大像高＝14.50
ｆＢ（正レンズＬ109の焦点距離）＝24.26
Ｒｍ（メニスカスレンズＬ104の物体側面の曲率半径）＝-20.77
【０１４９】
（条件式（１）に関する数値）
ｆＢ／ｆ＝0.66
【０１５０】
（条件式（２）に関する数値）
Ｒｍ／ｆ＝-0.57
【０１５１】
図６５は、実施例８にかかるインナーフォーカス式レンズの無限遠物体合焦状態における球面収差図である。図６６は、実施例８にかかるインナーフォーカス式レンズの無限遠物体合焦状態における像面湾曲図および歪曲収差図である。図６７は、実施例８にかかるインナーフォーカス式レンズの無限遠物体合焦状態における倍率色収差図である。図６８は、実施例８にかかるインナーフォーカス式レンズの無限遠物体合焦状態における横収差図である。図６８において、（ａ）は実像高０ｍｍにおける横収差曲線、（ｂ）は実像高７．２５ｍｍにおける横収差曲線、（ｃ）は実像高１０．１５ｍｍにおける横収差曲線、（ｄ）は実像高１４．５０ｍｍにおける横収差曲線を示している。
【０１５２】
図６９は、実施例８にかかるインナーフォーカス式レンズの最至近距離物体合焦状態における球面収差図である。図７０は、実施例８にかかるインナーフォーカス式レンズの最至近距離物体合焦状態における像面湾曲図および歪曲収差図である。図７１は、実施例８にかかるインナーフォーカス式レンズの最至近距離物体合焦状態における倍率色収差図である。図７２は、実施例８にかかるインナーフォーカス式レンズの最至近距離物体合焦状態における横収差図である。図７２において、（ａ）は実像高０ｍｍにおける横収差曲線、（ｂ）は実像高７．２５ｍｍにおける横収差曲線、（ｃ）は実像高１０．１５ｍｍにおける横収差曲線、（ｄ）は実像高１４．５０ｍｍにおける横収差曲線を示している。
【０１５３】
なお、上記各収差図中、ｄはｄ線（λ＝５８７．６ｎｍ）、ｇはｇ線（λ＝４３５．８ｎｍ）、ＦはＦ線（λ＝４８６．１ｎｍ）、ＣはＣ線（λ＝６５６．３ｎｍ）、ｅはｅ線（λ＝５４６．１ｎｍ）に相当する波長の収差を表す。そして、像面湾曲図におけるＳ，Ｍは、それぞれサジタル像面、メリディオナル像面に対する収差を表す。
【実施例９】
【０１５４】
図７３は、実施例９にかかるインナーフォーカス式レンズの構成を示す光軸に沿う断面図である。このインナーフォーカス式レンズは、図示しない物体側から順に、正レンズＬ111、正レンズＬ112（第２の正レンズ）、負レンズＬ113（第２の負レンズ）、メニスカスレンズＬ114（第１のメニスカスレンズ）、開口絞りＳＴ、負レンズＬ115、正レンズＬ116（第３の正レンズ）、負レンズＬ117、負メニスカスレンズＬ118（第１の負レンズ）、正レンズＬ119（第１の正レンズ）、およびメニスカスレンズＬ120（第２のメニスカスレンズ）が配置されて構成される。
【０１５５】
メニスカスレンズＬ114は、物体側から順に配置された、負レンズＬ1141と正レンズＬ1142とが接合されて形成されている。このメニスカスレンズＬ114は、物体側に凹面を向けて配置されている。負レンズＬ115と正レンズＬ116とは、接合されている。負メニスカスレンズＬ118は、像側に凹面を向けて配置されている。正レンズＬ119は、両凸レンズで構成されている。メニスカスレンズＬ120は、物体側に凹面を向けて配置されている。
【０１５６】
このインナーフォーカス式レンズでは、負メニスカスレンズＬ118を光軸に沿って物体側から像側へ、正レンズＬ119を光軸に沿って像側から物体側へそれぞれ移動させ、それらの間隔を狭めることによって、無限遠物体合焦状態から最至近距離物体合焦状態に至るまでのフォーカシングを行う。
【０１５７】
また、メニスカスレンズＬ120の像側には、カバーガラスＣＧが配置されている。カバーガラスＣＧは必要に応じて配置されるものであり、不要な場合は省略可能である。
【０１５８】
以下、実施例９にかかるインナーフォーカス式レンズに関する各種数値データを示す。
【０１５９】
（レンズデータ）
ｒ1＝518.863
ｄ1＝2.330    ｎｄ1＝1.80400    νｄ1＝46.58
ｒ2＝-83.765
ｄ2＝0.100
ｒ3＝20.502
ｄ3＝3.538    ｎｄ2＝1.80400    νｄ2＝46.58
ｒ4＝43.647
ｄ4＝3.053
ｒ5＝1398.748
ｄ5＝1.000    ｎｄ3＝1.69320    νｄ3＝33.74
ｒ6＝14.776
ｄ6＝5.697
ｒ7＝-20.854
ｄ7＝0.700    ｎｄ4＝1.59270    νｄ4＝35.30
ｒ8＝63.059
ｄ8＝3.655    ｎｄ5＝1.88300    νｄ5＝40.77
ｒ9＝-32.414
ｄ9＝0.700
ｒ10＝∞（開口絞り）
ｄ10＝0.700
ｒ11＝31.668
ｄ11＝1.000    ｎｄ6＝1.75211    νｄ6＝25.05
ｒ12＝26.168
ｄ12＝3.833    ｎｄ7＝1.77250    νｄ7＝49.60
ｒ13＝-107.146
ｄ13＝0.200
ｒ14＝-100.481
ｄ14＝1.000    ｎｄ8＝1.84666    νｄ8＝23.78
ｒ15＝-353.288
ｄ15＝D(15)（可変）
ｒ16＝88.698
ｄ16＝1.000    ｎｄ9＝1.60300    νｄ9＝65.44
ｒ17＝22.488
ｄ17＝D(17)（可変）
ｒ18＝45.305
ｄ18＝5.568    ｎｄ10＝1.72916    νｄ10＝54.67
ｒ19＝-27.692
ｄ19＝D(19)（可変）
ｒ20＝-21.903
ｄ20＝1.000    ｎｄ11＝1.80809    νｄ11＝22.76
ｒ21＝-39.248
ｄ21＝5.000
ｒ22＝∞
ｄ22＝2.000    ｎｄ12＝1.51680    νｄ12＝64.20
ｒ23＝∞
【０１６０】
（各合焦状態の可変間隔）
無限遠    0.025倍    最至近距離
物体距離                 ∞       1240.000    400.000
D(15)                     0.500        1.435      3.481
D(17)                    9.567        8.362      5.953
D(19)                     4.478        4.736      5.448
【０１６１】
ｆ（光学系全系の焦点距離）＝36.52
Ｆナンバー＝1.44
最大像高＝14.50
ｆＢ（正レンズＬ119の焦点距離）＝24.35
Ｒｍ（メニスカスレンズＬ114の物体側面の曲率半径）＝-20.85
【０１６２】
（条件式（１）に関する数値）
ｆＢ／ｆ＝0.67
【０１６３】
（条件式（２）に関する数値）
Ｒｍ／ｆ＝-0.57
【０１６４】
図７４は、実施例９にかかるインナーフォーカス式レンズの無限遠物体合焦状態における球面収差図である。図７５は、実施例９にかかるインナーフォーカス式レンズの無限遠物体合焦状態における像面湾曲図および歪曲収差図である。図７６は、実施例９にかかるインナーフォーカス式レンズの無限遠物体合焦状態における倍率色収差図である。図７７は、実施例９にかかるインナーフォーカス式レンズの無限遠物体合焦状態における横収差図である。図７７において、（ａ）は実像高０ｍｍにおける横収差曲線、（ｂ）は実像高７．２５ｍｍにおける横収差曲線、（ｃ）は実像高１０．１５ｍｍにおける横収差曲線、（ｄ）は実像高１４．５０ｍｍにおける横収差曲線を示している。
【０１６５】
図７８は、実施例９にかかるインナーフォーカス式レンズの最至近距離物体合焦状態における球面収差図である。図７９は、実施例９にかかるインナーフォーカス式レンズの最至近距離物体合焦状態における像面湾曲図および歪曲収差図である。図８０は、実施例９にかかるインナーフォーカス式レンズの最至近距離物体合焦状態における倍率色収差図である。図８１は、実施例９にかかるインナーフォーカス式レンズの最至近距離物体合焦状態における横収差図である。図８１において、（ａ）は実像高０ｍｍにおける横収差曲線、（ｂ）は実像高７．２５ｍｍにおける横収差曲線、（ｃ）は実像高１０．１５ｍｍにおける横収差曲線、（ｄ）は実像高１４．５０ｍｍにおける横収差曲線を示している。
【０１６６】
なお、上記各収差図中、ｄはｄ線（λ＝５８７．６ｎｍ）、ｇはｇ線（λ＝４３５．８ｎｍ）、ＦはＦ線（λ＝４８６．１ｎｍ）、ＣはＣ線（λ＝６５６．３ｎｍ）、ｅはｅ線（λ＝５４６．１ｎｍ）に相当する波長の収差を表す。そして、像面湾曲図におけるＳ，Ｍは、それぞれサジタル像面、メリディオナル像面に対する収差を表す。
【実施例１０】
【０１６７】
図８２は、実施例１０にかかるインナーフォーカス式レンズの構成を示す光軸に沿う断面図である。このインナーフォーカス式レンズは、図示しない物体側から順に、正レンズＬ121、正レンズＬ122（第２の正レンズ）、負レンズＬ123（第２の負レンズ）、メニスカスレンズＬ124（第１のメニスカスレンズ）、開口絞りＳＴ、正レンズＬ125（第３の正レンズ）、負メニスカスレンズＬ126（第１の負レンズ）、正レンズＬ127（第１の正レンズ）、およびメニスカスレンズＬ128（第２のメニスカスレンズ）が配置されて構成される。
【０１６８】
メニスカスレンズＬ124は、物体側から順に配置された、負レンズＬ1241と正レンズＬ1242とが接合されて形成されている。このメニスカスレンズＬ124は、物体側に凹面を向けて配置されている。負メニスカスレンズＬ126は、像側に凹面を向けて配置されている。この負メニスカスレンズＬ126の両面には、非球面が形成されている。正レンズＬ127は、両凸レンズで構成されている。この正レンズＬ127の両面には、非球面が形成されている。メニスカスレンズＬ128は、物体側に凹面を向けて配置されている。このメニスカスレンズＬ128の両面には、非球面が形成されている。
【０１６９】
このインナーフォーカス式レンズでは、正レンズＬ125を光軸に沿って像側から物体側へ移動させることによって、無限遠物体合焦状態から最至近距離物体合焦状態に至るまでのフォーカシングを行う。
【０１７０】
また、メニスカスレンズＬ128の像側には、カバーガラスＣＧが配置されている。カバーガラスＣＧは必要に応じて配置されるものであり、不要な場合は省略可能である。
【０１７１】
以下、実施例１０にかかるインナーフォーカス式レンズに関する各種数値データを示す。
【０１７２】
（レンズデータ）
ｒ1＝-679.519
ｄ1＝2.330    ｎｄ1＝1.80400    νｄ1＝46.57
ｒ2＝-67.183
ｄ2＝0.100
ｒ3＝20.258
ｄ3＝3.595    ｎｄ2＝1.80318    νｄ2＝46.38
ｒ4＝47.092
ｄ4＝1.685
ｒ5＝243.906
ｄ5＝1.000    ｎｄ3＝1.69600    νｄ3＝36.29
ｒ6＝15.295
ｄ6＝6.743
ｒ7＝-18.058
ｄ7＝0.700    ｎｄ4＝1.59270    νｄ4＝35.30
ｒ8＝51.468
ｄ8＝4.579    ｎｄ5＝1.88300    νｄ5＝40.77
ｒ9＝-27.582
ｄ9＝0.700
ｒ10＝∞（開口絞り）
ｄ10＝D(10)
ｒ11＝24.393
ｄ11＝3.800    ｎｄ6＝1.75500    νｄ6＝52.33
ｒ12＝289.216
ｄ12＝D(12)
ｒ13＝90.727（非球面）
ｄ13＝1.000    ｎｄ7＝1.63980    νｄ7＝34.48
ｒ14＝18.382（非球面）
ｄ14＝11.689
ｒ15＝44.445（非球面）
ｄ15＝5.765    ｎｄ8＝1.72916    νｄ8＝54.68
ｒ16＝-27.703（非球面）
ｄ16＝4.140
ｒ17＝-23.250（非球面）
ｄ17＝1.000    ｎｄ9＝1.75211    νｄ9＝25.05
ｒ18＝-51.442（非球面）
ｄ18＝5.000
ｒ19＝∞
ｄ19＝2.000    ｎｄ10＝1.51680    νｄ10＝64.20
ｒ20＝∞
【０１７３】
円錐係数（Ｋ）および非球面係数（Ａ，Ｂ，Ｃ，Ｄ）
（第１３面）
Ｋ＝0,
Ａ＝0,   Ｂ＝-3.92349×10-6,
Ｃ＝-3.32081×10-8,   Ｄ＝-4.36238×10-11
（第１４面）
Ｋ＝0,
Ａ＝0,   Ｂ＝1.68673×10-6,
Ｃ＝-2.20557×10-9,   Ｄ＝-2.62746×10-10
（第１５面）
Ｋ＝0,
Ａ＝0,   Ｂ＝-4.62327×10-7,
Ｃ＝-1.26034×10-9,   Ｄ＝-2.24645×10-11
（第１６面）
Ｋ＝0,
Ａ＝0,   Ｂ＝-6.10215×10-7,
Ｃ＝-2.46949×10-9,   Ｄ＝6.32201×10-12
（第１７面）
Ｋ＝0,
Ａ＝0,   Ｂ＝-1.39261×10-7,
Ｃ＝4.11137×10-9,   Ｄ＝2.14958×10-11
（第１８面）
Ｋ＝0,
Ａ＝0,   Ｂ＝2.09339×10-7,
Ｃ＝-6.02487×10-10,   Ｄ＝5.10298×10-12
【０１７４】
（各合焦状態の可変間隔）
無限遠    0.025倍    最至近距離
物体距離                 ∞       1240.000    450.000
D(10)                     3.062        2.190       0.700
D(12)                     0.500        1.319      2.753
絞り半径                11.119       11.057     11.219
【０１７５】
ｆ（光学系全系の焦点距離）＝36.003
Ｆナンバー＝1.45
最大像高＝14.50
ｆＢ（正レンズＬ127の焦点距離）＝24.35
Ｒｍ（メニスカスレンズＬ124の物体側面の曲率半径）＝-18.06
【０１７６】
（条件式（１）に関する数値）
ｆＢ／ｆ＝0.68
【０１７７】
（条件式（２）に関する数値）
Ｒｍ／ｆ＝-0.50
【０１７８】
図８３は、実施例１０にかかるインナーフォーカス式レンズの無限遠物体合焦状態における球面収差図である。図８４は、実施例１０にかかるインナーフォーカス式レンズの無限遠物体合焦状態における像面湾曲図および歪曲収差図である。図８５は、実施例１０にかかるインナーフォーカス式レンズの無限遠物体合焦状態における倍率色収差図である。図８６は、実施例１０にかかるインナーフォーカス式レンズの無限遠物体合焦状態における横収差図である。図８６において、（ａ）は実像高０ｍｍにおける横収差曲線、（ｂ）は実像高７．２５ｍｍにおける横収差曲線、（ｃ）は実像高１０．１５ｍｍにおける横収差曲線、（ｄ）は実像高１４．５０ｍｍにおける横収差曲線を示している。
【０１７９】
図８７は、実施例１０にかかるインナーフォーカス式レンズの最至近距離物体合焦状態における球面収差図である。図８８は、実施例１０にかかるインナーフォーカス式レンズの最至近距離物体合焦状態における像面湾曲図および歪曲収差図である。図８９は、実施例１０にかかるインナーフォーカス式レンズの最至近距離物体合焦状態における倍率色収差図である。図９０は、実施例１０にかかるインナーフォーカス式レンズの最至近距離物体合焦状態における横収差図である。図９０において、（ａ）は実像高０ｍｍにおける横収差曲線、（ｂ）は実像高７．２５ｍｍにおける横収差曲線、（ｃ）は実像高１０．１５ｍｍにおける横収差曲線、（ｄ）は実像高１４．５０ｍｍにおける横収差曲線を示している。
【０１８０】
なお、上記各収差図中、ｄはｄ線（λ＝５８７．６ｎｍ）、ｇはｇ線（λ＝４３５．８ｎｍ）、ＦはＦ線（λ＝４８６．１ｎｍ）、ＣはＣ線（λ＝６５６．３ｎｍ）、ｅはｅ線（λ＝５４６．１ｎｍ）に相当する波長の収差を表す。そして、像面湾曲図におけるＳ，Ｍは、それぞれサジタル像面、メリディオナル像面に対する収差を表す。
【実施例１１】
【０１８１】
図９１は、実施例１１にかかるインナーフォーカス式レンズの構成を示す光軸に沿う断面図である。このインナーフォーカス式レンズは、図示しない物体側から順に、正レンズＬ131、正レンズＬ132（第２の正レンズ）、負レンズＬ133（第２の負レンズ）、メニスカスレンズＬ134（第１のメニスカスレンズ）、開口絞りＳＴ、負レンズＬ135、正レンズＬ136（第３の正レンズ）、負レンズＬ137、負メニスカスレンズＬ138（第１の負レンズ）、および正レンズＬ139（第１の正レンズ）が配置されて構成される。
【０１８２】
メニスカスレンズＬ134は、物体側から順に配置された、負レンズＬ1341と正レンズＬ1342とが接合されて形成されている。このメニスカスレンズＬ134は、物体側に凹面を向けて配置されている。負レンズＬ135と正レンズＬ136とは、接合されている。負メニスカスレンズＬ138は、像側に凹面を向けて配置されている。正レンズＬ139は、両凸レンズで構成されている。この正レンズＬ139の両面には、非球面が形成されている。
【０１８３】
このインナーフォーカス式レンズでは、負メニスカスレンズＬ138を光軸に沿って物体側から像側へ、正レンズＬ139を光軸に沿って像側から物体側へそれぞれ移動させ、それらの間隔を狭めることによって、無限遠物体合焦状態から最至近距離物体合焦状態に至るまでのフォーカシングを行う。
【０１８４】
また、正レンズＬ139の像側には、カバーガラスＣＧが配置されている。カバーガラスＣＧは必要に応じて配置されるものであり、不要な場合は省略可能である。
【０１８５】
以下、実施例１１にかかるインナーフォーカス式レンズに関する各種数値データを示す。
【０１８６】
（レンズデータ）
ｒ1＝-299.940
ｄ1＝2.330    ｎｄ1＝1.80400    νｄ1＝46.58
ｒ2＝-71.300
ｄ2＝0.100
ｒ3＝23.367
ｄ3＝2.545    ｎｄ2＝1.80400    νｄ2＝46.58
ｒ4＝62.473
ｄ4＝4.816
ｒ5＝-107.072
ｄ5＝1.000    ｎｄ3＝1.69320    νｄ3＝33.74
ｒ6＝19.058
ｄ6＝4.928
ｒ7＝-20.641
ｄ7＝0.700    ｎｄ4＝1.59270    νｄ4＝35.30
ｒ8＝75.257
ｄ8＝3.655    ｎｄ5＝1.88300    νｄ5＝40.77
ｒ9＝-32.834
ｄ9＝0.700
ｒ10＝∞（開口絞り）
ｄ10＝0.700
ｒ11＝29.345
ｄ11＝1.000    ｎｄ6＝1.75211    νｄ6＝25.05
ｒ12＝21.406
ｄ12＝3.415    ｎｄ7＝1.77250    νｄ7＝49.60
ｒ13＝-138.028
ｄ13＝0.200
ｒ14＝-104.955
ｄ14＝1.000    ｎｄ8＝1.84666    νｄ8＝23.78
ｒ15＝-344.335
ｄ15＝D(15)（可変）
ｒ16＝48.158
ｄ16＝1.000    ｎｄ9＝1.60300    νｄ9＝65.44
ｒ17＝19.952
ｄ17＝D(17)（可変）
ｒ18＝71.397（非球面）
ｄ18＝4.000    ｎｄ10＝1.72916    νｄ10＝54.67
ｒ19＝-50.007（非球面）
ｄ19＝D(19)（可変）
ｒ20＝∞
ｄ20＝2.000    ｎｄ11＝1.51680    νｄ11＝64.20
ｒ21＝∞
【０１８７】
円錐係数（Ｋ）および非球面係数（Ａ，Ｂ，Ｃ，Ｄ）
（第１８面）
Ｋ＝0,
Ａ＝0,   Ｂ＝-1.50843×10-6,
Ｃ＝4.19634×10-8,   Ｄ＝2.60558×10-10
（第１９面）
Ｋ＝0,
Ａ＝0,   Ｂ＝5.36879×10-6,
Ｃ＝-2.49804×10-8,   Ｄ＝4.80956×10-10
【０１８８】
（各合焦状態の可変間隔）
無限遠    最至近距離
物体距離                 ∞       1240.000
D(15)                     0.500        1.829
D(17)                    4.269        2.582
D(19)                    12.195       12.575
絞り半径                 10.630        10.630
【０１８９】
ｆ（光学系全系の焦点距離）＝37.2
Ｆナンバー＝1.47
最大像高＝14.50
ｆＢ（正レンズＬ139の焦点距離）＝40.91
Ｒｍ（メニスカスレンズＬ134の物体側面の曲率半径）＝-20.64
【０１９０】
（条件式（１）に関する数値）
ｆＢ／ｆ＝1.10
【０１９１】
（条件式（２）に関する数値）
Ｒｍ／ｆ＝-0.55
【０１９２】
図９２は、実施例１１にかかるインナーフォーカス式レンズの無限遠物体合焦状態における球面収差図である。図９３は、実施例１１にかかるインナーフォーカス式レンズの無限遠物体合焦状態における像面湾曲図および歪曲収差図である。図９４は、実施例１１にかかるインナーフォーカス式レンズの無限遠物体合焦状態における倍率色収差図である。図９５は、実施例１１にかかるインナーフォーカス式レンズの無限遠物体合焦状態における横収差図である。図９５において、（ａ）は実像高０ｍｍにおける横収差曲線、（ｂ）は実像高７．２５ｍｍにおける横収差曲線、（ｃ）は実像高１０．１５ｍｍにおける横収差曲線、（ｄ）は実像高１４．５０ｍｍにおける横収差曲線を示している。
【０１９３】
図９６は、実施例１１にかかるインナーフォーカス式レンズの最至近距離物体合焦状態における球面収差図である。図９７は、実施例１１にかかるインナーフォーカス式レンズの最至近距離物体合焦状態における像面湾曲図および歪曲収差図である。図９８は、実施例１１にかかるインナーフォーカス式レンズの最至近距離物体合焦状態における倍率色収差図である。図９９は、実施例１１にかかるインナーフォーカス式レンズの最至近距離物体合焦状態における横収差図である。図９９において、（ａ）は実像高０ｍｍにおける横収差曲線、（ｂ）は実像高７．２５ｍｍにおける横収差曲線、（ｃ）は実像高１０．１５ｍｍにおける横収差曲線、（ｄ）は実像高１４．５０ｍｍにおける横収差曲線を示している。
【０１９４】
なお、上記各収差図中、ｄはｄ線（λ＝５８７．６ｎｍ）、ｇはｇ線（λ＝４３５．８ｎｍ）、ＦはＦ線（λ＝４８６．１ｎｍ）、ＣはＣ線（λ＝６５６．３ｎｍ）、ｅはｅ線（λ＝５４６．１ｎｍ）に相当する波長の収差を表す。そして、像面湾曲図におけるＳ，Ｍは、それぞれサジタル像面、メリディオナル像面に対する収差を表す。
【０１９５】
なお、上記各実施例中の数値データにおいて、ｒ1，ｒ2，・・・・は各レンズ、絞り面などの曲率半径、ｄ1，ｄ2，・・・・は各レンズ、絞りなどの肉厚またはそれらの面間隔、ｎｄ1，ｎｄ2，・・・・は各レンズなどのｄ線（λ＝５８７．６ｎｍ）に対する屈折率、νｄ1，νｄ2，・・・・は各レンズなどのｄ線（λ＝５８７．６ｎｍ）に対するアッベ数を示している。そして、長さの単位はすべて「ｍｍ」である。
【０１９６】
また、上記各非球面形状は、非球面の深さをＺ、光軸からの高さをｙとし、光の進行方向を正とするとき、以下に示す式により表される。
【０１９７】
【数１】
2013083783.tif 000003
【０１９８】
ただし、Ｒは近軸曲率半径、Ｋは円錐係数、Ａ，Ｂ，Ｃ，Ｄはそれぞれ２次，４次，６次，８次の非球面係数である。
【０１９９】
以上説明したように、上記各実施例のインナーフォーカス式レンズは、大口径標準レンズとして使用可能な、高い結像性能を備えている。さらに、上記条件式を満足することにより、より優れた収差補正能力を備えることができる。また、適宜接合レンズや非球面レンズを用いることにより、より良好な収差補正を行うことができる。
【産業上の利用可能性】
【０２００】
以上のように、この発明にかかるインナーフォーカス式レンズは、デジタルスチルカメラなどの固体撮像素子を搭載した撮像装置に有用であり、特に、ミラーレス一眼カメラの大口径標準レンズとして最適である。
【符号の説明】
【０２０１】
Ｌ11，Ｌ18，Ｌ21，Ｌ28，Ｌ32，Ｌ39，Ｌ62，Ｌ69，Ｌ72，Ｌ79，Ｌ84，Ｌ89，Ｌ94，Ｌ99，Ｌ104，Ｌ110，Ｌ114，Ｌ120，Ｌ124，Ｌ128，Ｌ134  メニスカスレンズ
Ｌ12，Ｌ15，Ｌ17，Ｌ22，Ｌ25，Ｌ27，Ｌ31，Ｌ33，Ｌ36，Ｌ38，Ｌ61，Ｌ63，Ｌ66，Ｌ68，Ｌ71，Ｌ73，Ｌ76，Ｌ78，Ｌ81，Ｌ82，Ｌ86，Ｌ88，Ｌ91，Ｌ92，Ｌ95，Ｌ98，Ｌ101，Ｌ102，Ｌ106，Ｌ109，Ｌ111，Ｌ112，Ｌ116，Ｌ119，Ｌ121，Ｌ122，Ｌ125，Ｌ127，Ｌ131，Ｌ132，Ｌ136，Ｌ139，Ｌ942，Ｌ1042，Ｌ1142，Ｌ1242，Ｌ1342  正レンズ
Ｌ13，Ｌ14，Ｌ23，Ｌ26，Ｌ34，Ｌ37，Ｌ64，Ｌ65，Ｌ74，Ｌ75，Ｌ83，Ｌ85，Ｌ93，Ｌ96，Ｌ103，Ｌ105，Ｌ107，Ｌ113，Ｌ115，Ｌ117，Ｌ123，Ｌ133，Ｌ135，Ｌ137，Ｌ941，Ｌ1041，Ｌ1141，Ｌ1241，Ｌ1341  負レンズ
Ｌ16，Ｌ24，Ｌ35，Ｌ67，Ｌ77，Ｌ87，Ｌ97，Ｌ108，Ｌ118，Ｌ126，Ｌ138  負メニスカスレンズ
ＣＧ  カバーガラス
ＳＴ  開口絞り
【図１】
2013083783.tif 000004
【図２】
2013083783.tif 000005
【図３】
2013083783.tif 000006
【図４】
2013083783.tif 000007
【図５】
2013083783.tif 000008
【図６】
2013083783.tif 000009
【図７】
2013083783.tif 000010
【図８】
2013083783.tif 000011
【図９】
2013083783.tif 000012
【図１０】
2013083783.tif 000013
【図１１】
2013083783.tif 000014
【図１２】
2013083783.tif 000015
【図１３】
2013083783.tif 000016
【図１４】
2013083783.tif 000017
【図１５】
2013083783.tif 000018
【図１６】
2013083783.tif 000019
【図１７】
2013083783.tif 000020
【図１８】
2013083783.tif 000021
【図１９】
2013083783.tif 000022
【図２０】
2013083783.tif 000023
【図２１】
2013083783.tif 000024
【図２２】
2013083783.tif 000025
【図２３】
2013083783.tif 000026
【図２４】
2013083783.tif 000027
【図２５】
2013083783.tif 000028
【図２６】
2013083783.tif 000029
【図２７】
2013083783.tif 000030
【図２８】
2013083783.tif 000031
【図２９】
2013083783.tif 000032
【図３０】
2013083783.tif 000033
【図３１】
2013083783.tif 000034
【図３２】
2013083783.tif 000035
【図３３】
2013083783.tif 000036
【図３４】
2013083783.tif 000037
【図３５】
2013083783.tif 000038
【図３６】
2013083783.tif 000039
【図３７】
2013083783.tif 000040
【図３８】
2013083783.tif 000041
【図３９】
2013083783.tif 000042
【図４０】
2013083783.tif 000043
【図４１】
2013083783.tif 000044
【図４２】
2013083783.tif 000045
【図４３】
2013083783.tif 000046
【図４４】
2013083783.tif 000047
【図４５】
2013083783.tif 000048
【図４６】
2013083783.tif 000049
【図４７】
2013083783.tif 000050
【図４８】
2013083783.tif 000051
【図４９】
2013083783.tif 000052
【図５０】
2013083783.tif 000053
【図５１】
2013083783.tif 000054
【図５２】
2013083783.tif 000055
【図５３】
2013083783.tif 000056
【図５４】
2013083783.tif 000057
【図５５】
2013083783.tif 000058
【図５６】
2013083783.tif 000059
【図５７】
2013083783.tif 000060
【図５８】
2013083783.tif 000061
【図５９】
2013083783.tif 000062
【図６０】
2013083783.tif 000063
【図６１】
2013083783.tif 000064
【図６２】
2013083783.tif 000065
【図６３】
2013083783.tif 000066
【図６４】
2013083783.tif 000067
【図６５】
2013083783.tif 000068
【図６６】
2013083783.tif 000069
【図６７】
2013083783.tif 000070
【図６８】
2013083783.tif 000071
【図６９】
2013083783.tif 000072
【図７０】
2013083783.tif 000073
【図７１】
2013083783.tif 000074
【図７２】
2013083783.tif 000075
【図７３】
2013083783.tif 000076
【図７４】
2013083783.tif 000077
【図７５】
2013083783.tif 000078
【図７６】
2013083783.tif 000079
【図７７】
2013083783.tif 000080
【図７８】
2013083783.tif 000081
【図７９】
2013083783.tif 000082
【図８０】
2013083783.tif 000083
【図８１】
2013083783.tif 000084
【図８２】
2013083783.tif 000085
【図８３】
2013083783.tif 000086
【図８４】
2013083783.tif 000087
【図８５】
2013083783.tif 000088
【図８６】
2013083783.tif 000089
【図８７】
2013083783.tif 000090
【図８８】
2013083783.tif 000091
【図８９】
2013083783.tif 000092
【図９０】
2013083783.tif 000093
【図９１】
2013083783.tif 000094
【図９２】
2013083783.tif 000095
【図９３】
2013083783.tif 000096
【図９４】
2013083783.tif 000097
【図９５】
2013083783.tif 000098
【図９６】
2013083783.tif 000099
【図９７】
2013083783.tif 000100
【図９８】
2013083783.tif 000101
【図９９】
2013083783.tif 000102